(57)【要約】      （修正有）【課題】シャフトによってヘッドのロフト角を調整、変化するとソール角の変化を生じ、ヘッドのソール面に対してのフェース角を修正することが必要となる。ソール部分のヘッドの角度を調整できるゴルフクラブを提供する。【解決手段】ゴルフヘッドのソール部分のソールプレート及びこれに嵌め合う凹み部の形態によってヘッドの各種の角度を調整する。【選択図】図１３
2011229914.tif 000002
【特許請求の範囲】
【請求項１】
ゴルフクラブの調整でプレートと凹み部を組み合わせることに於いて，
プレート２８、プレート２８−１、プレート１８、プレート３７、プレート３８  プレート３８−１、プレート３８−２、プレート９１−２、プレート９１、プレート１２、プレート１７−３、プレート４３、プレート５２−１、プレート５２−２、プレート５２、プレート５２−３、プレート６６、プレート７８、プレート８１、プレート８５、プレート９６、及びプレート９０と、
これに組み合う凹み部で、
凹み部  ２０、凹み部５１、凹み部１９、凹み部９２、凹み部９２−１、凹み部１９−１、凹み部２０−２、凹み部２３
凹み部９９、凹み部５４−１  凹み部７０、凹み部５４、凹み部６７、凹み部７９、凹み部８０、凹み部８４、凹み部８７、及び凹み部１００が、
プレート用頭付ボルトと頭なしボルトで前記プレートの高さを調整、変化をさせて、ソール角、フェース角、ライ角及び複合角をもたらし、固定する機構を特徴とするゴルフクラブ。
【請求項２】
前記プレート２８は、平面視が丸型又は多角形で、平面視の上辺面が僅かに凸状の曲面又は平面状で、中央部分に段付穴が開けられていて、側面の厚さの約半分の厚さに外周のネジ２９が加工され、上辺面にネジの頭の溝３０があるプレートで、
前記凹み部２０は、ソール部分の略中央に前記プレートに対応する形態で凹み部の内側の側面に凹み部の内周のネジ９５が施されていて、ない場合もあり、底面に凹み部のネジ穴の凸部３１つけられていて内側に貫通したネジが加工されていて、前記凹み部の内周のネジが付いている場合は、前記凹み部を前記プレートに組み込んで回転させながら前記プレートの高さを調整、変化させることが出来る請求項１に記載のゴルフクラブ。
【請求項３】
前記凹み部２０又は５１は、平面視が丸型又は多角形で、底面から立ち上がる壁を周辺にもち、内側の側面に凹み部の内周のネジが加工されていて、又は、ない場合があり、底面が平らで中央部分に凹み部のネジ穴段付が加工されていて、内側のネジが加工されていて、プレート用頭付ボルトが入り、前記プレートが組み込めることが出来る凹み部。
【請求項４】
前記プレート２８−１は、平面視が丸型又は多角形で、平面視の上辺面が僅かに凸状の曲面又は平面で、中央部分に段付穴が明けられて、プレート用頭付ボルトが入り、そのすぐ隣に段付穴のネジ穴３６があり、そこに頭付ボルト又は頭なしボルトが付いているプレートで、
前記凹み部２０と組み合って、前記プレートの高さを調整、変化させることが出来る請求項１に記載のゴルフクラブ。
【請求項５】
前記プレート１８は、厚さ違いのプレート  イ、ロ、で上辺に傾斜した面を持ち中央部分に段付穴が明けられて、プレート用頭付ボルトが入り、平面視の上辺面が僅かに凸状の曲面又は平面で、前記凹み部へ組み込まれるプレート。
【請求項６】
凸部付プレート３７は、凸部、４８が前記プレートの段付穴の外側の下に向かった裏側の凸部で、前記凹み部の底面に接触するもので、平面視が丸型又は多角形で、凸部、４８を除いた厚さはほぼ数ミリで、上辺面が僅かに凸状の曲面又は平面で、このプレートを回転、又は置き換えて前記プレートの高さを調整すると角度が変化するプレート。
【請求項７】
傾斜面凸部付又は平面凸部付凹み部１９（丸型又は多角形）と
段付プレート３８及びプレート用頭付ボルト１３が組み合って、前記段付プレート３８は、その中心に段付穴３２が開けられていて、上辺面が僅かに凸状の曲面又は平面であり、断面はア、イ、ウ、エ、オ、カ、又は複数の段付が外周辺に段付４９のプレートの形を持ち、この複数の段付き４９の厚さは、内側に向っていて、段付穴の外周辺１０３まで繋がっていて、厚さはアの厚さが厚く、イ、ウ、エ、オ、カ、又は複数の厚さが徐々に薄くなっていて、幅は数ミリで、等間隔であり、ア、イ、ウ、エ、オ、カ、の段付の間は、段付のカの厚さより若干薄いプレートの厚さ１０２であり、
丸型の場合も、ア、イ、ウ、エ、オ、カ、又は複数の段付きは等間隔で作られていて、この前記プレートの中央部分は、段付穴があり、その外周辺１０３がア、イ、ウ、エ、オ、カ、又は複数の段付まで繋がり、ア、イ、ウ、エ、オ、カ、の段付の間は、段付のカ厚さより若干薄いプレートの厚さ１０２であり、
前記凹み部１９は、平面視が丸型又は多角形で底面から立ち上がる壁を周辺に持ち、中央部分の凹み部のネジ穴の凸部３１を設置され、其の内側にネジが加工され、凹み部の内側のバック側に  凹み部１９の¬型凸１９−２が付けられている凹み部が
プレート用頭付ボルトで、前記プレートを固定する機構を特徴とする請求項１に記載のゴルフクラブ。
【請求項８】
傾斜面凸部付又は平面凸部付凹み部１９（丸型又は多角形）と
段付プレート３８及びプレート用頭付ボルト１３が組み合って、
前記凹み部、１９の¬型凸１９−２が凹み部のフェース側についていることを特徴とする請求項１に記載のゴルフクラブ。
【請求項９】
プレート３８−１で丸型又は多角形での平面視の形状で、上辺面は凸状の僅かに曲面又は平面で、前記プレートの中央に段付穴３２が開けられていて、プレート用頭付ボルトが入る形のプレートであり、前記プレートの裏側の形状は、段付穴の外側に複数の前記プレートの凸部９４が、各角の頂点と段付穴の中心を結ぶ線上で、前記プレートの裏側で段付穴の外側に設置され、前記、９４は、厚く、９４−１，９４−２，９４−３、９４−４，９４−５、又は、複数個で段付穴の外側に相当するところに順番で徐々に薄くなっているプレートと、
前記凹み部は、丸型又は多角形の９２で、底面から立ち上がる丸型又は多角形の壁を周辺に持つ凹み部で、中心に凹み部底面のネジ穴が有り、バック側７を頂点とする角の底面と、また丸型の場合はバック側７に最も隣接した底面の箇所以外に、三角凹み部の凹み及び丸型又は多角形凹み部の凹み９３が９２の底面に複数個付けられていて、其の場所は、前記プレート３８−１の図７の９４−１、プレートの厚さ、９４−２、プレートの厚さ、９４−３、プレートの厚さ、９４−４プレートの厚さ、９４−５プレートの厚さの所に相当する複数の場所で、凹み、が設置されていて、深さが前記プレートの凸部９４より深く加工されていて、バック側７を頂点とする角の底面は平らで、また丸型の場合はバック側７に最も隣接した底面の箇所に接触する前記プレートの凸部９４以外の各凸部９４はソールの角度の変化に影響を及ぼさない構造となっていて、前記プレートを回転させることによりソールの角度が変化をし、前記プレートを前記凹み部への固定するプレート用頭付ボルトを使う機構を特徴とする請求項１に記載のゴルフクラブ。
【請求項１０】
前記プレート３８−１と前記凹み部、９２が組み合うが、前記凹み部９２の三角凹み部の凹み及び丸型又は多角形凹み部の凹み９３の同形が、フェース側８に最も隣接した底面の箇所以外に複数個を設置したことを特徴とする請求項９乃至請求項１に記載のゴルフクラブ。
【請求項１１】
三角プレート３８−２は、平面視が略三角形で、上辺面が凸状の曲面又は平面で、中央部分に段付穴３２が開いていて、プレート用頭付ボルトが入り、段付穴と三角の間に厚さ９４と９４−１、９４−２が付けられていて、９４は厚く、９４−１が薄く、更に９４−２が薄く作られていて、厚さが違うものであり、３個の出っ張りがある形で、前記三角プレートの中央部分に段付穴がついていて、プレート用頭付ボルトが入るプレートと、
前記凹み部９２−１は、前記プレートに対応する平面視で、中央部分に凹み部のネジ穴の凸部３１があり、三角形の１つの角はバック側に位置されていて、残る２つの角はフェース側に位置にしていて、そのフェース側の底面に凹み、９３が２つ付いていて、これに前記プレートの凸部、９４，９４−１，９４−２の何れかが接触し前記プレートの高さが調整、変化の機構を特徴とする請求項１に記載のゴルフクラブ。
【請求項１２】
前記三角プレート３８−２と前記凹み部９２−１の組み合わせで、
凹み部９２−１の三角形の１つの角はフェース側に位置されていて、残る２つの角はバック側に位置していて、前記凹み部９２−１のバック側の底面に凹み、９３が２つ付いていて、これに前記プレートの凸部、９４，９４−１，９４−２の何れかが接触し前記プレートの高さが調整、変化する機構を特徴とする請求項１に記載のゴルフクラブ。
【請求項１３】
前記プレート９１−２は、平面視が略三角形の形で、上辺面が凸状の曲面又は平面で、中央部分に段付穴３２が開いていて、プレート用頭付ボルトが入り、三角のカドと段付穴３２の間に図９のイ、エ、ア、の段付きの形をもち、アが厚く、イが薄く、さらにエが薄く出来ていて、プレート３８の中心部分の厚さ５０と同じ様な段付穴のまわりの厚さがあり、外側に図９のイ、エ、アの段付きがあり、段付きは¬型の凹み状の形をしていて、図９のイ、エ、ア、の段付きの間は、段付穴のまわりの厚さと同じ厚さになっていて、図９のイ、エ、ア、の段付きの厚さが３つそれぞれ違っているプレートと、
前記凹み部１９−１は、平面視が略三角形で、底面から立ち上がる壁を周辺に持ち、中央部分に凹み部のネジ穴の凸部３１があり、内側にネジが加工されていて、プレート用頭付ボルトが入り、前記プレートを固定するのに使われ、前記凹み部の底面のバック側に凹み部、１９−１の¬型凸部１９−２があり、図９の段付きイ、エ、ア、のいずれか１つと面接触し、組み合って前記プレートの高さが決められる機構を特徴とする請求項１に記載のゴルフクラブ。
【請求項１４】
前記プレート９１−１と前記凹み部１９−１の組み合わせで、  前記凹み部１９−１の¬型凸部１９−２が前記凹み部の底面のフェース側に設置されたことを特徴とする請求項１３乃至請求項１に記載のゴルフクラブ。
【請求項１５】
三角プレート９１は、平面視が略三角形で、上辺面が凸状の曲面又は平面であり、中央部分に段付穴３２が開いていて、プレート用頭付ボルトが入り、三角のカドと段付穴３２の間に頭付ボルト又は頭なしボルトのネジ穴１０１が３個開けられていて、三角プレートの頭付ボルト又は頭なしボルト９４−６が３つあり、三箇所それぞれでネジの高さを変えてセットされて、これに対応する前記請求項１２に記載の凹み部９２−１の使用を特徴とする請求項１に記載のゴルフクラブ。
【請求項１６】
前記プレート１２は、爪付プレートで平面視が長四辺形又は長楕円形で、長い方の両辺にそれぞれプレートの溝１７を設けて、略、中央に段付穴が加工されていて、ネジが加工されていて、プレート用頭付ボルトが入り、前記プレート１２の片方の厚さ  大１５、片方の厚さ  小１６の厚さが違っていて、この前記プレート１２を前記凹み部に挿入するが、其の方向は、符号１５がフェース側とバック側のどちらからも挿入することが出来る形になっているプレートと、
前記凹み部、２０−２は、平面視が長四辺形又は長楕円形で、長い方の両辺にそれぞれ凹み部の爪１７−１が設けられて、前記凹み部の長い辺をバック側７とフェース側８に向けてほぼ直角にヘッドのソール部分に配置され、短い辺の方をフェース面の方向にほぼ平行な位置に設置される凹み部が、
ヘッドのソール部分で組み合って、前記プレートの高さが調整、変化する機構を持つことを特徴とする請求項１に記載のゴルフクラブ。
【請求項１７】
前記プレート１７−３は、  ソール角調整板で、△型クサビ形のプレート９８で、平面視が長四辺形又は長楕円形で、長い方の両辺に△型クサビ形の爪１７−２を設けて、略、中央に段付穴が加工されていて段付穴にネジが加工されていて、プレート用頭付ボルトが入り、前記プレート１７−３の片方の厚さ  大１５、片方の厚さ  小１６の厚さが違っていて、この前記プレートを前記凹み部に挿入するが、其の方向は、符号１５がフェース側とバック側のどちらからも挿入することが出来る形になっているプレートと、
前記凹み部２３、△型クサビ形の凹み部で平面視が長四辺形又は長楕円形で、長い方の両辺に△型クサビ形の爪１７−２が設けられて、前記凹み部の長い辺をバック側７とフェース側８に向けてほぼ直角にヘッドのソール部分に配置され、フェース側の短い辺の方が、ほぼ平行な位置に設置される凹み部が、前記プレートとヘッドのソール部分で組み合って、前記プレートの高さが調整、変化する機構を持つことを特徴とする請求項１に記載のゴルフクラブ。
【請求項１８】
前記プレート１７−３又１２は、ソールに対して縦位置に装填され、かつ、フェース側に位置していて、前記プレート１７−３又は１２の移動は図２０から見て上下に移動するのでライ角が変化する機構を特徴とする請求項１に記載のゴルフクブ。
【請求項１９】
前記プレート１７−３又１２は、ソールに対して縦位置に装填され、かつ、バック側に位置していて、前記プレート１７−３又は１２の移動は図２１から見て上下に移動するのでソール角が変化する機構を特徴とする請求項１に記載のゴルフクブ。
【請求項２０】
前記プレート４３は、長四角形又は長楕円形のプレートで、厚さはフェース側が薄くバック側に向かって徐々に厚くなり、バック側の短い辺の上辺と前記凹み部のバック側の短い辺の上辺にヒンジ６３の加工で１体化していて、又はヒンジの加工がなくて、前記プレートの略中央の段付穴が設置されていて、２重ボルト４０が入るプレートと、
前記凹み部９９が前記プレートと組み合うために略同形状の平面視で、底面から立ち上がる壁を周辺に持ち、中央部分に凹み部のネジ穴の凸部３１があり内側にネジが加工され２重ボルト４０が挿入され、頭なしボルト４１の先端が突き当たる底面を持っている凹み部が、
ヘッドのソール部分に組み込まれて前記プレートの高さが調整、変化することを特徴とする請求項１に記載のゴルフクラブ。
【請求項２１】
前記２重ボルト４０は、プレート用頭付ボルトであり、その中心に貫通したネジ穴が加工され、頭なしボルトが挿入される構造の２重ネジでプレ−トを前記凹み部に固定するためのもので、
工具、レンチ４４は、レンチの外輪４５の中心に貫通したネジ穴が加工され、これに頭なしボルトがはいり、レンチの外輪４５には滑らないように外側にギザギザのローレットの加工がされていて、貫通している頭なしボルト用のネジ穴に頭なしボルトを挿入し、レンチの外輪が回らないように手で押さえながらハンドルが付いたレンチ４４で前記二重ボルトの頭なしボルトの頭の溝に工具の凸部を嵌めこみ、ネジを回す、すると頭なしボルトが上下の動き、頭なしボルト４１の先端が前記凹み部のネジ穴凸部の底面に突き当たり其の応力で前記プレートの高さが調整、変化する機能を持った２重ボルトと工具、レンチ４４。
【請求項２２】
前記プレート５２−１は、平面視が長四辺形又は長楕円形で、フェース側８の厚さが薄くバック側７に向かって徐々に厚くなっていて、フェース側の段付穴の直ぐ右隣にスリット６４が加工されているが、ありとなしの場合があり、両端にプレート用頭付ボルトが入る段付穴が開けられて、中央部分に貫通穴があり、それにネジが加工されていて頭なしボルトが挿入され、これを出し入れすると前記プレートの高さを調整、変化させて、その下は隙間５５が開いていて、その下が前記底辺板５３となっているプレートと、
前記凹み部、５４−１は、前記プレートに対応する形状で長四辺形または長楕円形でその底面から立ち上がる壁を周辺の持ち、底面の両端に凹み部のネジ穴の凸部３１が設置されていて、
プレート用頭付ボルトと頭なしボルトで前記プレートを前記凹み部に固定する機構を特徴とする請求項１に記載のゴルフクラブ。
【請求項２３】
前記プレート５２−２は、前記プレート５２−１の底辺板がない形状で、両端に段付穴があり、中央部分に貫通ネジ穴があり、フェース側８（左側）の底面が段付になっていて、両端のプレート用頭付ボルトで前記凹み部に固定されるプレート。
【請求項２４】
前記プレート５２は、平面視が長四辺形又長楕円形で、スリットがありとなしとがあり、両端に段付穴が設置されていて、プレート用頭付ボルトが入り、フェース側（左側）の底面に段付がありプレート用頭付ボルトで固定されているプレートと、
前記カム用の溝付凹み部７０は、平面視が長四辺形又は長楕円形で、
深さが前記プレートと同じで、底面に凹み部のネジ穴の凸部が左右にあり、この凹み部のバック側の底面にカム状ボルトが設置され、カムの軸棒６１がバック側のカム状ボルト支持穴に入り支持されていて、前記凹み部のバック側の底面にカム用の溝５７が作られていて、カムの軸棒６１の取り付け位置の方向がフェース側に対して略直角な場合と、又は、カムの軸棒６１の取り付け位置の方向がフェース側に対して略平行な場合があり、バック側のカム状ボルト支持穴にカム状ボルトが入り支持されていて、前記凹み部のバック側の底面にカム用の溝に丸型又は多角形のカム５９が入り、カム状ボルトを回転させると、前記プレートのバック側の裏側面とカムが接触して前記プレートの高さが変化する構造の凹み部が、プレート用頭付ボルトと頭なしボルトで、ヘッドのソール部分に組み込まれてソール角が変化する機構を特徴とする請求項１に記載のゴルフクラブ。
【請求項２５】
前記プレート５２−３は、平面視がプレート５２と同形状で、底辺板５３があるプレートで、両端に段付き穴があり、中央部分に貫通ネジ穴が無いく、スリットがありと無しがあり、
前記凹み部５４にカム状ボルトがバック側の底面にあり、カムの軸棒６１の取り付け位置の方向がフェース側に対して略直角な場合と、又は、カムの軸棒６１の取り付け位置の方向がフェース側に対して略平行な場合があり、両側にプレート用頭付ボルトが付いていて、前記プレートへ固定する機構を特徴とする請求項１に記載のゴルフクラブ。
【請求項２６】
前記プレート６６は、平面視が長四角形又は長楕円形で、厚さがフェース側８で薄くバック側に向かって徐々に厚くなり、フェース側の短い辺の上辺と前記凹み部、６７のフェース側の短い辺の上辺にヒンジ６３が加工されて前記凹み部と１体化して、バック側に段付穴が明けられていて、プレート用頭付ボルトが入り、前記カム状ボルトがバック側にあり、前記プレートのバック側の裏側の面とカム状ボルトのカムが接触するように設置されていて、左端のヒンジの右傍にスリット６４があり、又は、なしのプレートと、
前記凹み部、６７は、平面視が長四角形又は長楕円形で、カム状ボルト５６が前記凹み部のバック側の側壁にあり、バック側の底面にカム用の溝５７が設置され、その左側に凹み部のネジ穴の凸部が設置されていて、カム状ボルト支持穴５８にカムの軸棒６１が支持されて、カムが前記カム用の溝５７に入るように設置され、カムの軸棒の取り付け方向がフェースの面とバック側に略直角に位置していて、カム状ボルトの頭６２がバック側の側壁の外についているものと、又は、カムの軸棒の取り付け方向がフェースの面とバック側に略平行な位置にしていて、前記プレートと前記凹み部がヘッドのソール部分に組み込んでいるものでプレート用頭付ボルトを使用する機構を特徴とする請求項１に記載のゴルフクラブ。
【請求項２７】
前記プレート７８は、平面視が長四辺形または長楕円形で、厚さがバック側で厚くフェース側に向かって徐々に薄くなっていて、フェース側の短い辺がクサビ形のテーパー７７になっていて、前記プレートのほぼ中央に段付穴が設置していて、そこにプレート用頭付ボルトが挿入されていて、右側に貫通したネジ穴が加工されていて、ここに頭なしボルト７６が入り、または前記プレートの裏側から貫通しないネジ穴があり、頭付ボルト又は頭なしボルトが入る場合があり、このボルトを出し入れによって前記プレートの高さが調整、変化が出来るプレートと、
前記凹み部７９は、平面視が前記プレートに対応するので略同形状で、深さが前記プレートに対応するので略同形状であり、フェース側の短い辺がクサビ形のテーパー７７になっていて、凹み部の底面の略中央にネジ穴の凸部か設置され、ネジが貫通して加工されている凹み部が、
プレート用頭付ボルトと頭なしボルトを使って前記プレートの高さを調整、変化が出来る機構を特徴とする請求項１の記載のゴルフクラブ。
【請求項２８】
前記プレート７８で、平面視が長四辺形又は長楕円形で、厚さがバック側で厚くフェース側に向かって薄くなり、フェース側にテーパー７７があり、バック側にネジ穴がある場合とない場合があり、ネジ穴がない場合は頭なしボルトがなくて、
前記凹み部７９は、平面視が長四辺形又は長楕円形で、カム状ボルト５６が前記凹み部のバック側の側壁にありバック側の底面にカム用の溝５７が設置され、その左側に凹み部のネジ穴の凸部が設置されていて、カムの軸棒の取り付け方向の位置がフェース面に対して略平行な場合、又は略直角な場合があり、プレート用頭付ボルト１本で前記プレートを前記カム状ボルト付きの前記凹み部へ固定が出来ることを特徴とする請求項１に記載のゴルフクラブ。
【請求項２９】
前記凹み部８０は、平面視が長四辺形又は長楕円形で、厚さがバック側で厚くフェース側に向かって薄くなり、両側に段付穴があり、フェースの面に対して略平行な位置でカムの軸棒がソールの底面に取り付けられている凹み部で、
前記プレート８１又はプレート５２、または、５２−３と組み合うことが出来て、プレート用頭付ボルトで前記プレートを前記凹み部へ固定することを特徴とする請求項１に記載にゴルフクラブ。
【請求項３０】
前記プレートで平面視が長四辺形又は長楕円形で、其のプレートの平面視の上辺面にフェース側及びバック側に向かって凹凸状の溝又はウネ（畝）８２を加工してあり、この凹凸又はウネは、ソール面にあるので打球に際して抵抗をへらせるし、方向性をよくするためにプレート４３、５２−１、５２−２、５２、５２−３、６６、７８、８１、８５、９０、９６、１２、１７−３、に採用できる凹凸状の溝又はウネ（畝）。
【請求項３１】
前記プレート８５は、平面視が前記凹み部８４に略同形状で、フェース側の側面にプレートの横棒受け８６がユ字型で加工されていて、バック側に貫通したネジ穴が開けられて、又は裏から貫通しないネジ穴があり、頭なしボルト又は頭付ボルトが入り、中央部分に段付穴があるプレートと、
前記凹み部８４は、平面視が長四辺形又は長楕円形で、中央部分に段付ネジ穴があり、フェース側の側面に横棒８３が設けられている凹み部が、ヘッドのソール部分に組み込まれていて、プレート用頭付ボルトで前記プレートを前記凹み部へ固定することを特徴とする請求項１に記載のゴルフクラブ。
【請求項３２】
前記凹み部８４は、平面視が長四辺形又は長楕円形で、中央部分に段付穴があり、フェース側の側面に横棒８３が設けられていて、バック側の底面にカム用の溝５７が設置され、カム状ボルトが凹み部のバック側の底面にあり、前記凹み部のカムの軸棒の取り付け方向の位置がフェース面に対して略平行な場合、又は略直角な場合がある凹み部と、
前記プレート８５は、バック側にネジ穴ある場合とない場合があり、頭付ボルトを取り外したプレートと組み合って、
プレート用頭付ボルトで前記凹み部へ固定する機構を特徴とする請求項１に記載のゴルフクラブ。
【請求項３３】
前記プレート９６は、平面視が長四辺形又は長楕円形で、両端に段付穴が開けられて、プレート用頭付ボルトが入り、厚さが略均一な平行形で中央部分の裏側の底面にプレート凸部８８が設置されているプレートと、
前記凹み部８７は、前記プレート９６に対応する形状の平面視が長四辺形又は長楕円形で両端に凹み部のネジ穴の凸部が設置されていて、プレート用頭付ボルトが入り、プレート用頭付ボルトを締めれば前記プレート凸部８８が前記凹み部の底面に接して前記プレートの高さが変わる機構を特徴とする請求項１に記載のゴルフクラブ。
【請求項３４】
前記プレート９０は、プレートの裏側の凸部が無くなったプレートで、平面視が長四辺形又は長楕円形で、両端に段付穴が開けられて、プレート用頭付ボルトが入り、厚さが略均一な平行形のプレートと、
前記凹み部１００は、図４４の凹み部の凸部８９が底面に付いた凹み部で、両端に凹み部のネジ穴の凸部３１が設置されていている凹み部が、ヘッドのソール部分に組み合って前記プレートの高さが調整、変化することを特徴とする請求項１に記載のゴルフクラブ。
【請求項３５】
前記プレート１２又は１７−３と前記凹み部２０−２または前記凹み部２３の組み合う場合で、ソール部分に対して平面的な斜めに傾斜して、右肩下がり、或いは左肩下がりで前記プレートと前記凹み部が設置されていて、変化する角度がソール角とライ角の複合角として調整、変化することを特徴とする請求項１に記載のゴルフクラブ。
【発明の詳細な説明】
【技術分野】
【０００１】  ゴルフクラブの調整に於いて各種の角度を変化させ打球の方向に影響を与える事に関する。
【背景技術】
【０００２】  先行文献、  特許４１７９５１８号  特許４１７７４１４号  特許４３７８７３６号  特許４３２５８８２号  特許４１５６８１２号  特願２００１−２９００６８などがある。
【発明の開示】
【発明が解決しようとする課題】
【０００３】  ゴルフクラブの性能を調整することで、ソール面に対して角度を変化させるのであるが、本発明はソール角を変化させるので、ソールのプレートの考案を課題とする。【０００４】  ソールのプレート或いはヘッドの凹み部を設けて各種の角度を調整する機構が付いたゴルフクラブの提供を目的にする。
先の出願番号  特願２０１０−１０１４５１、特願２００１−２９００６８
に関して改良すべきものがあり、この度、特願２０１０−１０１４５１に関して優先権主張をする。それは、ソールのプレート及び取り付けネジの数を減らし調整の手順を先の出願を基に改良を加えた。それを以下に於いて説明する。
【課題を解決するための手段】
【０００５】  さまざまな方法があるが、図面から説明する。【０００６】本発明は、前記プレートと前記凹み部をヘッドのソール部分に設置するが、調整、変化の範囲及び効果に付いて構造を異にする。特許４１５６８１２号に関連していて、この発明の効果はシャフトによってヘッドのロフト角が調整、変化するが、この変化と同時にソール角の変化を生じさせる、しかしここで生じるソール角の変化はヘッドのソール面に対してのフェース角を修正する必要が出てくるのである。其のためにソール角をヘッドのソール部分に於いて新たな機構を設置することで解決する。これが本発明の目的である。【０００７】  特許４１５６８１２号の効果は、ロフト角が＋−５度位変化する幅を持っている、これに応じてソール角も修正、調整することが必要となり、別な部位での機構の発明が必要になる。しかもシャフトによるロフト角の調整、変化が＋−５度位の範囲が無段階で自由に変化するのであり、これに応じて修正、調整も無段階又は多段階で実施できるソール部分に新たな構構の発明の必要が生じてきた。３種類のソール角度の調整だけでなく、多数のソール角度を調整する新規性のある発明が本願の発明である。単に３つの角度だけでなく複数のソール角の調整、変化の必要性が生じた素因は先の特許４１５６８１２号に関連している。  ソール角、フェース角、ライ角及びその複合角の無段階又は多段階の調整、変化の機構は特許４１５６８１２号の出現で新たに波及的に生じたものであり、これが本件である。【０００８】    図１について、
前記プレート２８と前記凹み部２０又は５１が組み合うものである。
先の出願の前記プレート及び前記凹み部の形状は長四辺形又は長楕円形であるが、図１は丸型の形状を持っている。プレート２８は丸型の厚さが１０ｍｍ位であればよい、平面視の上辺面が僅かに凸状の曲面であるが、この曲面は、前記プレートの上辺面が平らな場合であると、ソールが地面に接触したときに前記プレートの上辺のフェース側だけが接触するので面接触にするために上辺に僅かな凸状の曲面をつけ又は平面状で、中心部分に段付穴３２が開けられていて、厚さ１０ｍｍ位の側面の約半分の厚さにネジが加工されている。このネジは外周のネジ２９である。このネジの長さが半分であることは前記凹み部と組み合ったとき、前記プレートの厚さ１０ｍｍ位の側面の約半分の厚さのネジが外から見えないようにするために半分の長さのネジにした。この前記プレート外周のネジ２９は、丸型の凹み部２０の内側の外周に加工されている凹み部の内周のネジ９５の部分に組み合うものである。尚、前記プレートの上辺にプレートの頭の溝３０が加工されている。これは回転させるときのためのものである。前記プレートの前記段付穴にプレート用頭付ボルト１３が入り、前記凹み部のネジ穴凸部３１へ挿入され前記プレートが固定される。前記プレートも材質は軽金属又は合成樹脂である。尚、平面視の上辺面が僅かに凸状の曲面であることは、後から説明される他のプレートにも採用される場合もある。しかし、平面も採用する場合もある、それはヘアウエーウッドのヘッドは大体小さいので平らな面でも良い。【０００９】前記の凹み部２０又は５１は、前記プレート２８に組み合うために対応する形の場合には丸型を使う。底面から立ち上がる壁を周辺に持った凹み部で、中央に凹み部のネジ穴凸部３１が設置され、この凸部の内側にネジが加工されている。この前記凹み部の取り付け位置はヘッド本体３のソール２１の部分の略中央部分である。
前記凹み部の内側の側壁の内周のネジ９５が加工されていて、前記プレートの外周のネジの符号２９と組み合う為のものである。しかし外周のネジ２９がない場合もある。この場合、後に記載される図２の凹み部２０がそれである。従って符号２０のプレートは内周のネジ９５がない場合とある場合がある。【００１０】  前記プレート２８がネジを利用して前記凹み部から出し入れして、其の高さを変化することが出来る。そうすると前記プレートがソールの地面の線に接触してソール角が変化する。【００１１】  前記プレート２８の固定方法は、前記プレートの出し入れによって、高さが決まったら、プレート用頭付ボルトを前記凹み部のネジ穴凸部に挿入して前記凹み部へ固定する。ソール角の変化をもたらす。【００１２】  図２について、
前記プレート２８−１と前記凹み部２０又は５１の組み合わせである。
丸型又は多角形のプレート２８−１は、ネジ穴付プレートで、厚さが約１０ｍｍ位で、平面視の上辺面が僅かに凸状の曲面又は平面で、中心に段付穴３２が開けられていて、其の段付穴の外側の１箇所に丸型又は多角形のプレートのネジ穴３６が段付穴で設置され、これに頭付ボルト又は頭なしボルトを挿入し、前記プレートを、前記凹み部に組み入れられると前記プレートは傾斜する。前記プレートはこのネジ穴が貫通した場合と、前記プレートの裏側から開けられて貫通しない場合があるが、この場合には、頭付ボルトが入る。また前記ネジ穴が貫通している場合は、頭なしボルトが入る。
尚前記、ネジ穴３６の位置は、前記プレートが多角形の場合には、多角形のカドの間に設置される。  この前記プレートの中央に開けられている段付穴にプレート用頭付ボルトが挿入される。
この前記プレート２８−１が丸型又は多角形の場合はこれを回転させると頭なしボルトの装填されている位置が変わる、要するにバック側７にあった位置がフェース側８に移動する場合もある。其の結果はソール角が変わるが、頭なしボルト又は頭付ボルトが装填されている位置がフェース側に移動した場合ソール角６が図１１から見て右側に傾きフェース面がオプンフェースになる。頭付ボルト又は頭なしボルトの装填されている位置がバック側にある場合はソール角が立ち上がり、フェース角がフックフースに成る。
尚、付け加えると頭なしボルトの出し入れは、前記プレートの裏面からの場合があるが、プレートを凹み部から取り出すことになる。【００１３】  この前記プレート２８−１の平面視の裏側は、丸型又は多角形のプレートのネジ穴及び段付穴以外の部分は、軽量化のため、薄い板状の丸型又は多角形の凹み状の形である。【００１４】  この前記プレート２８−１に対応する前記凹み部２０又は５１は、ソール部分の略中央に位置されていて、丸型又は多角形で、中央の凹み部のネジ穴凸部３１が設置され、其の内側にネジが加工されている、この前記凹み部の底面から立ち上がる壁を丸型又は多角形で周辺に持つ凹み部である。【００１５】  前記プレート２８−１の外側についている頭付ボルト又は頭なしボルトを出し入れによってプレートの高さが変わるが、その位置の方向よっては、オープンフェースになる場合とフックフェースの方向にフェース角が変化する場合がある。このことは、効果の項で述べる。
前記多角形のプレートの場合の調整は前記凹み部から取り出して所望の位置に置き換えることになる。  尚、前記プレートの前記凹み部への固定方法の手順は、図１の場合と略同じである。
また、図３は前記丸型又は多角形の凹み部５１又は２０であり、プレート２８−１の場合には外周のネジはいらない。【００１６】  図４について、
厚さの違いのプレート１８の図であり、厚さの違うイ、ロがある傾斜した上辺面を持ち、中央に段付穴３２が開けられていてプレート用頭付ボルトが入る。平面視が丸型又は多角形で、上辺面が僅かに凸状の曲面又は平面であり、底面から立ち上がる壁を周辺に持つ凹み部、符号２０または５１に組み入れられるのに対応する形である。
この前記プレートを回転、ないしは位置を入れ替えると、厚さが違うイ、ロがあるので、前記プレートがソールの部分の地面の線２の何処かに接触しているのでフェース角がオープンやフックの方に変わる。【００１７】この前記プレートに対応する凹み部には、凹み部の内周のネジがない丸型又は多角形の凹み部５１、又は２０を使用する、前記プレートを前記凹み部に固定する手順は図２の場合と略同じである。【００１８】  図５について、
凸部付プレート３７の図である。プレート３７の凸部、４８は前記プレートの段付穴の外側の下に向かった裏側の凸部で、前記凹み部の底面に接触するものである。平面視が丸型又は多角形で、凸部、４８を除いた厚さはほぼ数ミリで有ればよく、上辺面が僅かに凸状の曲又は平面で、このプレートを回転、又は置き換えて前記プレートの高さを調整すると角度が変化する。このプレートは、前記プレート１８の作用と同じで、フェース角がオープンやフックの方に変わる。【００１９】  前記プレートに対応する凹み部は、凹み部の内周のネジがない丸型又は多角形の凹み部５１、又は２０を使用する。
前記プレートの高さの調整の手順は図４の場合と略同じである。【００２０】  図６について、
傾斜面凸部付又は平面凸部付凹み部１９（丸型又は多角形）と段付プレート３８及びプレート用頭付ボルト１３の図である。【００２１】  段付プレート３８は、丸型又は多角形で厚さが約１０ｍｍ位あれば良い、この中心に段付穴３２が開けられていて、上辺面が僅かに凸状の曲面又は平面であり、断面は図６に示すア、イ、ウ、エ、オ、カ、又は複数の段付が外周辺に段付４９のプレートの形を持ち、この複数の段付き４９の厚さは、内側に向っていて、段付穴の外周辺１０３まで繋がっている。厚さはアが厚く、イ、ウ、エ、オ、カ、又は複数個の厚さが徐々に薄くなっているし、幅は数ミリで、等間隔であり、ア、イ、ウ、エ、オ、カ、の段付の間は、段付のカの厚さより若干薄いプレートの厚さ１０２であり、丸型の場合も、ア、イ、ウ、エ、オ、カ、の段付きは等間隔で作られていて、この前記プレートの中央部分は、段付穴があり、その外周辺１０３がア、イ、ウ、エ、オ、カ、の複数の段付まで繋がり、ア、イ、ウ、エ、オ、カ、又は複数個の段付の間は、段付のカの厚さより若干薄いプレートの厚さ１０２である前記プレートと
前記凹み部１９は、平面視が丸型又は多角形で底面から立ち上がる壁を周辺に持ち、中央部分の凹み部のネジ穴凸部３１を設置され、其の内側にネジが加工され、凹み部のバック側に  凹み部１９の¬型凸１９−２が付けられている凹み部が、
ヘッドのソール部分で、前記プレートのアの部分と凹み部のバック側に凹み部１９の¬型凸１９−２が組みあって前記プレートの高さが調整、変化が出来る。アの場合が一番高くイからオに従って低くなる。こうして複数の多段階でソール角が調整、変化が出来るのである。
多角形とは、本発明に於いては、４角以上の複数で６角を基本的な数とするし、この数は複数として、プレートの高さの種類に影響し多ければ高さが微妙に変化できるが８角位が多さの限度である。【００２２】  この前記プレートの中央部分は、段付穴があり、その外周辺１０３がア、イ、ウ、エ、オ、カ、の段付まで繋がり、ア、イ、ウ、エ、オ、カ、の段付の間は、段付のカの厚さより若干薄いプレートの厚さ１０２であり、その理由は前記プレートの回転又は置き換える際に前記凹み部１９の¬型凸部１９−２と前記プレートの厚さ１０２、の部分とが接触しないような形をなしている。尚、図では６個であるが、複数個とするのである。
尚、前記プレートの段付穴へプレート用頭付ボルトが挿入される。【００２３】  図６の凹み部１９は、平面視が丸型又は多角形で底面から立ち上がる壁を周辺に持ち、中央部分の凹み部のネジ穴凸部３１を設置され、其の内側にネジが加工され、凹み部のバック側に  凹み部１９の¬型凸１９−２が付けられている、この幅は約４から６ｍｍ位で高さ約４ｍｍ位であればよい。【００２４】  この場合の取付け、調整の手順は、前記プレート３８のア、イ、ウ、エ、オ、カのいずれかの部分を選んで、凹み部、１９の¬型凸部１９−２に合わせて組み入れて所望のプレートの高さが決まったら、プレート用頭付ボルト１３を前記プレート３８の段付穴を通して、前記凹み部のネジ穴に挿入し前記プレートを固定する。この前記凹み部の場合は、凹み部、１９の¬型凸部１９−２の幅は約４から６ｍｍ位で高さ約４ｍｍ位であるので、前記プレート３８の  段付き４９と前記、１９−２が組み合ってプレートの高さが調整、変化が出来る。前記、１９−２の設置されている位置は、この場合はバック側７なのでソール角が変化して、ライ角には影響がない。但し、前記、１９−２がフェース側にある場合もある。これは前記プレートの高さの方向が変わりフェース側が高くなりフェース角がオープンフェースの方に変化して今までにない変化である。尚前記プレート２８−１の場合も同じ変化が可能である。【００２５】  図７について、
プレート３８−１と前記凹み部、９２が組み合うもので、
プレート３８−１で丸型又は多角形での平面視の形状で、上辺面は凸状の僅かに曲面又は平面で、前記プレートの中央に段付穴３２が開けられていて、プレート用頭付ボルトが入る形のプレートである。  前記プレートの裏側の形状は、図７の場合で段付穴の外側に６個の前記プレートの凸部９４が、各角の頂点と段付穴の中心を結ぶ線上で、前記プレートの裏側で段付穴の外側に複数個が設置され、図７の場合は、前記、９４は、厚く、９４−１，９４−２，９４−３、９４−４，９４−５、の順番で徐々に薄くなっていている。これが６個なので６通りのソール角の変化が出来る。
この場合の例として６個としたが複数個とする。【００２６】  この凹み部は、丸型又は多角形の９２で、底面から立ち上がる丸型又は多角形の壁を周辺に持つ凹み部で、中心に凹み部底面のネジ穴があり、フェース側８の方で凹み部の底面に、三角凹み部の凹み及び丸型又は多角形凹み部の凹み９３が付けられている。この前記凹み部、９２の底面には、前記凹み、９３が複数個付けられていて、其の場所は、図の例として前記プレート３８−１の図７の９４−１、プレートの厚さ、９４−２、プレートの厚さ、９４−３、プレートの厚さ、９４−４プレートの厚さ、９４−５プレートの厚さ、の所に相当する場所で、凹み、が複数個設置されている。例えば前記プレートの凸部、９４が前記、凹み部のバック側の底面に接触していて、この９４を除いた他の９４−１，９４−２，９４−３，９４−４，９４−５の５個が各凹み、９３に収まる。従って前記プレートの９４が前記凹み部の底面に接したと時のプレートの高さがソール角の調整、変化の値になる。また、凹み部のバック側の底面に前記プレートの凸部９４−５が接したら、其のプレートの高さが其の場合のソール角の調整、変化の値になる。尚、この場合は、前記凹み部のバック側で９３のない底面は平たい面である。前記プレートを前記凹み部への固定はプレート用頭付ボルトを使う。但し、前記、９３がバック側にある場合もできるが、効果に付いて後で記述する。【００２７】  図８について、
三角プレート３８−２と前記凹み部９２−１が組み合うものである。
三角プレート３８−２の平面視が略三角形で、上辺面が凸状の曲面または平面であり、中央部分に段付穴３２が開いていて、プレート用頭付ボルトが入る、段付穴と三角の間にプレート３８−２の、厚さ、９４と９４−１、９４−２が付けられていて、９４は厚く、９４−１が薄く、更に９４−２が薄く作られていて、厚さが違うものである。
要するに３個の出っ張りがある形である。その横の大きさは４から５ｍ位でよい。前記プレートが前記凹み部９２−１と組合うものである。【００２８】  この凹み部９２−１は、三角形の２つの角はフェース側にあり、残る１つの角はバック側に位置されて、前記三角プレートの中央部分に凹み部のネジ穴の凸部３２が付いていて、内側にネジが加工されていて、プレート用頭付ボルトが入る。フェース側の底面に凹み、９３が２つ付いていて、バック側に凹み９３がない平たい底面があり、この底面に前記プレートの凸部、９４，９４−１，９４−２の何れかが接触するのでる。この接触したプレートの高さが調整、変化の値である。プレートの固定する手順は図７とほぼ同じである。ソール角が変化する。  但し前記、９３の位置をバック側に置く場合もある。前記の９３が、三角形の２つの角がフェース側にあり、残る１つの角はバック側に位置されて場合は、フェース角がフックフェースの方に変化する、一方残る１つの角をフェース側に置く場合にはフェース角がオープンフェースの方に変化する．【００２９】    図９について、
プレート９１−２と前記凹み部１９−１が組み合うものである。
プレート９１−２は、平面視が略三角形で、上辺面が凸状の曲面又は平面で、中央部分に段付穴３２が開いていて、プレート用頭付ボルトが入り、三角のカドと段付穴３２の間に図９のイ、エ、ア、の段付きの形をもち、アが厚く、イが薄く、さらにエが薄く出来ている。図６にあるプレート３８の中心部分の厚さ５０と同じ様な段付穴のまわりの厚さがあり、外側に図９のイ、エ、アの段付きがある。この段付きは¬型の凹み状の形をしている。
図９のイ、エ、ア、の段付きの間は、段付穴のまわりの厚さと同じ厚さになっている。図９のイ、エ、ア、の段付きは、厚さが３つ違っているので、凹み部、１９の¬型凸部１９−２と組み合うことになる。【００３０】    凹み部１９−１は、平面視が略三角形で、上辺面が凸状の曲面または平面で、底面から立ち上がる壁を周辺に持ち、中央部分に凹み部のネジ穴の凸部３１があり、内側にネジが加工されている。ここにプレート用頭付ボルトが入り、前記プレートを固定するのに使われる。前記凹み部の底面のバック側に凹み部１９−１の¬型凸部１９−２がある。これが図９の段付きイ、エ、ア、のいずれの  １つと面接触し、組み合って前記プレートの高さが決められることになる。
前記凹み部のソール部分の取り付け位置は、三角の１つの角がバック側にあり、他の２つがフェース側にある。但し１つの角がフェース側にある場合もあり、この場合フェース角がオープンフェースの方に変化する。
この前記プレートの高さの違いによってソール角が調整、変化する。
尚、前記プレートを前記凹み部から一旦取り外してから、図９のイ、エ、アのいずれかを選んで、前記凹み部へ組み入れることになる。【００３１】  図１０について、
前記プレート、９１と前記凹み部９２−１が組みあるものである。
三角プレート９１は、平面視が略三角形で、上辺面が凸状の曲面又は平面であり、中央部分に段付穴３２が開いていて、プレート用頭付ボルトが入り、三角のカドと段付穴３２の間に頭なしボルトのネジ穴１０１が３個開けられていて、図１０の三角プレートの頭なしボルト９４−６が３つあり、それぞれ高さを違えて設置されていて３つの種類の高さになるようにセットされている。【００３２】これに対応する前記凹み部は、凹み部９２−１を使用することが出来る。前記プレート９１は底面の機構が違うだけなので、使う手順がほぼ同じである。但し、前記三角プレート９１は頭なしボルトのネジ穴１０１の３個があり、ネジによる前記プレートの高さが可変できる機能の違いである。尚、前記凹み部９２−１の凹み９３の位置がフェース側にあるのが通常であるが、バック側にある場合もある。
ソール角の変化がフックフェースの方に変化する場合とオープンフェースの方に変化する場合がある。【００３３】    図１１、１２に付いて
この図はプレートがバック側７とフェース側の間で左右に移動した場合の図である。ソール角が変化した図でもあり、プレートを図から見て左の移動した場合はソール角が立ち上げり、角度が増えることになりフェースの線９が直角の線の方に寄ってくる、フェースはフックフェースの方になる。
これを示したのが図１２である。【００３４】    図１３に付いて
プレート１２は、図１５又は図１６の爪付プレートで、この前記プレートと爪付の凹み部２０−２がソールに設置された図である。【００３５】    図１４について、
前記プレート１２が前記爪付の凹み部に装着した図で、前記プレートが左に移動した図である。【００３６】    図１５について、
ソール角調整板である前記プレート１２の図であり、平面視は長四辺形又は長楕円形で、厚さは数ミリで、長い方の両辺にそれぞれプレートの溝１７を設けて、略、中央に段付穴が加工されている。段付穴にネジが加工されている。これにボルトを挿入して前記プレート１２を固定するのである。また、前記プレート１２の片方の厚さ  大１５、片方の厚さ  小１６の厚さが違っている。この前記プレート１２を前記凹み部に挿入するが、其の方向は、符号１５がフェース側とバック側のどちらからも挿入することが出来る形になっている。即ち、プレートの挿入の方向によって調整の手順が違うことになる。それはプレートの高さが違い、逆になる場合がある。
符号１５の方をバック側に向けて挿入するのが通常であるが、反転させた挿入は、フェース側のソールの高さが高くなるのであり、要するに効果は逆となる。
前記プレート１２は中央部分にある段付穴に挿入されたプレート用頭付ボルトを回転させて、其のボルトの先端が前記爪付き凹み部２０−２の底面に突き当たり其の応力で前記ソール角調整板である前記プレート１２が前記凹み部に固定され、前記プレート１２の両端の辺の厚さが違う形のため、このソールの面が地面の線に接触した時にソール角度が変化する。【００３７】    図１６について、
プレート１２と凹み部２０−２が組み合った図であり、前記プレートの爪１１−１が前記プレートの底面にあり、その上にプレートの溝１７が付けられている。  前記プレートの爪の長さ２２は、前記凹み部の長さの約半分である。
前記凹み部２０−２は、前記プレートに対応する形で凹み部の爪１７−１がフェース側の両辺に付いていて、前記プレートが組み合っている。その断面の図である。
前記プレートの中央部分に段付穴にネジが加工されている。これにボルトを挿入して、このプレート用頭付ボルトの先端が、前記凹み部の底面に突き当たり、前記、ボルトの応力で前記凹み部へ前記プレートが固定されるのである。【００３８】  図１７について、
前記凹み部の爪１７−１がソール部分に配置され、フェース面に対して略直角に位置されていて、前記凹み部の爪が付いた前記凹み部がソール部分の中央に配置されている。【００３９】  図１８、１９について、
ソール角調整板で、１７−３でもある△型クサビ形のプレート９８と△型クサビ形の爪１７−２が長い方の両側についた凹み部、２３が組み合った断面図であり、図１９である。前記プレート１７−３の平面視が長四辺形又は長楕円形で、厚さが数ミリであり、略中央に段付ネジ穴が加工されている。段付ネジ穴にネジが加工されている。これにボルトを挿入して前記プレート１７−３を固定するのである。前記プレート１７−３の片方の厚さ  大１５、片方の厚さ  小１６の厚さが違っている。この前記プレート１７−３を前記凹み部に挿入するが、其の方向は、符号１５がフェース側とバック側のどちらからも挿入することが出来る形になっている。即ち、プレートの挿入の方向によって調整の手順が違うことになる。それはプレートの高さが違い、逆になる場合であるからである。
符号１５の方をバック側に向けて挿入するのが通常であるが、反転させた挿入は、フェース側のソールの高さが高くなるのであり、要するに効果は逆となる。前記プレート１７−３は中央部分にある段付ネジ穴に挿入されたプレート用頭付ボルトを回転させて、其のボルトの先端が前記の底面２０−１に突き当たり其の応力で前記ソール角調整板が前記凹み部に固定されるのである。前記プレート１７−３の両端の辺の厚さが違う形のため、このソールの面が地面の線に接触した時にソール角度が変化する。
前記凹み部２３は、前記プレート１７−３に対応する形で△型クサビ形の爪１７−２が長い方の辺の両側についた凹み部、２３であり、底面にはネジ穴がない平らな面である。前記プレートの効果、固定の手順は図１６の場合とおなじである。尚、前記プレート１２，１７−３の長い方の辺が、フェース面に対して略、直角の位置である。【００４０】    図２０について、
前記プレート１７−３又１２は、ソールに対して縦位置に装填され、かつ、フェース側に位置している、前記プレート１７−３又は１２の移動は上下に移動するのでソール角でなくライ角が変化する。前記プレート及びこれに対応する凹み部の取り付け位置の違いによって角度の変化が違ってくる。【００４１】  図２１について、
前記プレート１７−３又は１２の前記凹み部の取り付け位置がバック側の方に縦位置で装着されている。この場合ライ角に影響せずソール角の変化を及ぼす。フェース側のソールが地面の線に接触したままでバック側だけが変化するのでライ角に影響しない。【００４２】  図２２、図２３について、
前記プレート１７−３又は１２が縦位置で装填している場合のライ角の変化の図である。図２３の前記プレート１７−３又は１２が図２３の２７の長さまで移動すると前記プレートがつま先（左側）の方に移動してライ角２６が直角の方に立ち上がりライ角２６の線がアップライトになる。
ここで注意することは、この場合、ヘッドのトウ側（左側）が下に下がることになることに留意する。尚図１１、図１２の場合は前記プレートが横に移動した図であるので角度の変化が違ってくる。このことは、前記プレートがフェース面に対して略直角に移動したものである。
図２４は、
フェース角の変化の図である。ソール角がアップになるとフェース角が左側に傾きフックフェースになる、これが図２４の図２のフックフェースである。
ソール角がフラットになるとフェース角が右に傾きオープンフェースになりこれが図２４の図３のオープンフェースである。其の中間が図２４の図１のストレートとなる。
前記プレートが横位置での移動であるが、ソール角が変化してフェース角も変化する。【００４３】    図２５について、    前記プレート１７−３は、前記プレート１２の様に符号１５，１６が付いている。前記プレート１７−３又は１２及びこれに対応する前記凹み部の取る付け位置が傾斜している場合である。右肩下がりと左肩下がりの取り付け位置が平面的に傾斜している。前記プレートが前記凹み部に沿って移動すれば、角度の変化はライ角とソール角の複合角として変化する。前記プレート１７−３又は１２は符号１５，１６が形成していて、前記凹み部のフェース側に向かって前記プレートを挿入するが、この場合は符号１６を先に向けて挿入させるのが通常である。図２５は、ソール側の図であるが、それを反転させ、ヘッドを上から見て、前記プレートをフェース側から右肩上がりでバック側へ移動した場合、フェース角がオープンフェースに成りながらソール角はアップライになり、地面の線に近くなる。（図１２）尚、前記プレート１２，１７−３の符号１６を先にして前記凹み部が挿入することが通常であり、逆の場合もある。【００４４】    図２６について、
プレート４３は、長四角形または長楕円形のプレートで、厚さはフェース側が薄くバック側に向かって徐々に厚くなり、バック側の短い辺の上辺と前記凹み部のバック側の短い辺の上辺にヒンジ６３の加工で１体化していて前記プレートの略中央の段付穴が設置されていて、２重ボルト４０が入る。ただし前記凹み部の横の長さ６５が短い場合は、ヒンジ６３の加工がなくても２重ボルト、１本で前記プレートを前記凹み部へ固定ができる。【００４５】図２６の凹み部は前記プレート４３の対応する形状で底面から立ち上がる壁を周辺に持つ凹み部で、中央部分に凹み部のネジ穴凸部があり、底面を持つていて、これは図２６の頭なしボルト４１の先端が突き当たる底面である。この凹み部のネジ穴凸部の内側にネジが加工され２重ボルト４０が挿入される。【００４６】プレート４３は、長四角形または長楕円形の平面視で、応用範囲が広い。【００４７】  図２７について、
２重ボルト４０の図であり、このプレート用頭付ボルトの中心に貫通しネジ穴が加工され頭なしボルトが挿入される。このネジは前記プレート４３を通して前記凹み部のネジ穴凸部のネジ穴に挿入する。この２重ネジで前記プレ−トを前記凹み部に固定する手順は、まず前記プレート４３を前記凹み部へ組み入れて２重ボルトを前記凹み部のネジ穴に入れて、工具レンチ４４使って、頭なしボルトの溝にレンチの工具の凸部を差し込んで、レンチの外輪４５を回らないように手で押さえて、レンチのハンドルで頭なしボルトを回して、前記凹み部のネジ穴凸部の底面に頭なしボルトの先端を突き当てて、前記プレートの高さを調節し、其の高さが決まったらレンチの外輪４５を回して前記頭なしボルトを挟み持ち作用で固定する、更に前記頭なしボルトを回して固定すると、硬く前記プレートを前記凹み部に固定出来る。【００４８】工具、レンチ４４は、レンチの外輪４５の中心に貫通したネジ穴が加工され、これに頭なしボルトがはいり、レンチの外輪４５には滑らないように外側にギザギザのローレットの加工がされていて、貫通している頭なしボルト用のネジ穴に頭なしボルトを挿入し、レンチの外輪が回らないように手で押さえながらハンドルが付いたレンチ４４で前記二重ボルトの頭なしボルトの頭の溝に工具の凸部を嵌めこみ、ネジを回す、すると頭なしボルトが上下の動き、頭なしボルト３４の先端が前記凹み部のネジ穴凸部の底面に突き当たり其の応力で前記プレートの高さが調整、変化する。そしてレンチの外輪を回して前記プレートを固定する、更にもう１度頭なしボルトを締め付けると挟み持ち作用により硬く固定される。【００４９】    図２８について、
ヘッドのソール部分に平面視が長四辺形又は長楕円形で、底辺板付のプレート５２−１と、
長四辺形又は長楕円形の凹み部５４−１が組み合ったもので、前記プレート、５２−１は、フェース側８の厚さが薄くバック側７に向かって徐々に厚くっていて、フェース側の段付穴の直ぐ右隣にスリット６４が加工されているが、ありとなしの場合がある、このスリットの役目は前記プレートが撓り易くするためでもある。両端にプレート用頭付ボルトが入る段付穴が開けられて、中央部分に貫通穴のネジが加工されていて頭なしボルトが挿入される、ただし上辺の厚さまでにネジ穴が開けられている。その下は隙間５５が開いていて、その下が前記底辺板５３となっている。
前記プレートの左側のフェース側にプレート用頭付ボルトで前記凹み部、５４−１が固定されていて、これは以下に出てくる前記プレート５２−２、５２、５２−３が同じ様に予め固定される。底辺板５３が右側のバック側の方に繋がり前記凹み部、５４−１の右端のバック側まで前記凹み部の底面に密着している。その中間部分に前記隙間５５がある。底辺板の中央部分に穴が明けられていて前記頭なしボルトの先端が入る。この頭なしボルトの先端は、前記凹み部の底辺部に突き当たり、前記プレートを上に押し上げる役目をする。また、下げる場合もある。尚、プレート用頭付ボルト１３は前記プレートを前記凹み部へ固定するためのものである。【００５０】前記凹み部、５４−１は、前記プレートに対応する形状で長四辺形または長楕円形でその底面から立ち上げる壁を周辺の持ち、底面の両端に凹み部のネジ穴凸部３１が設置されている。  中央部分の頭なしボルトの出し入れで前記プレートの高さが変化して、プレート用頭付ボルトで前記プレートを前記凹み部に固定する。前記プレートのバック側の方が高くなったり、低くなったりしてソール角が調整、変化する。【００５１】    図２９について、  プレート５２−２は、スリットがありとなしがあり、底辺板５３がないプレートであり、違うところは、底辺板がないことだけで、後は前記プレート５２−１と同じである。前記プレートの中間部分に隙間５５があるので前記プレートの上下の動き幅が広い、また左側の段付のプレートがあり底辺の前記凹み部への密着面が狭いのである。機能は同じであり調整の手順も同じである。【００５２】    図３０について、
プレート５２があり、平面視は長四辺形又は長楕円形で、スリットがありとなしがあり、両端に段付穴が設置されているプレートで、
カム用の溝付凹み部７０は、平面視は長四辺形又は長楕円形で、深さが図２８図２９と同じである。この凹み部のバック側の底面にカム状ボルトが設置され、カムの軸棒６１がバック側のカム状ボルト支持穴に入り支持されていて、前記凹み部のバック側の底面にカム用の溝５７が作られていて、ここにカムが入り、カム状ボルトが回転すると、前記プレートのバック側の裏側面とカムが接触して前記プレートの高さが変化する。カムの軸棒の取り付け位置の方向は、フェース面に対して略直角の場合と、略平行に位置する場合がある。すると、この場合はソール角が変化する。前記プレートの高さが決まったら右側のプレート用頭付ボルトで前記プレートを前記凹み部に固定させるのである。尚、フェース側の前記プレートを前記凹み部のフェース側にプレート用頭付ボルトで予め固定させる。カム５９は、丸型又は多角形である。この前記プレート５２は、図３０の７０、図３１の５４、図３２の５４、の凹み部に組み込める。【００５３】  図３１について、
前記プレート５２で調整された前記プレートの高さが低くなった場合の図である。
カムの軸棒の位置の方向は、フェース面に対して略直角の場合と、略平行に位置する場合がある。【００５４】図３２について、
プレート５２−３は、前記プレート５２の平面視が同形で、両側に段付穴があり、隙間５５があり、其の下に底辺板５３がカム用の溝５７の左手前まであるプレートで、中央部分に貫通ネジ穴が無く、違いはここだけであり調整、変化させる手順は図３０と同じである。但しスリットがありと無しがある。カムの軸棒の位置の方向は、フェース面に対して略直角の場合と、略平行に位置する場合がある。【００５５】図３３について、
プレート６６は、平面視が長四角形又は長楕円形で、厚さがフェース側８で薄くバック側に向かって徐々に厚くなり、フェース側の短い辺の上辺と前記凹み部の短い辺の上辺ヒンジ６３が加工されていて、バック側の右側に段付穴が明けられていて、プレート用頭付ボルトが入り、前記プレートの右側の裏側の面とカム状ボルトのカムが接触するように設置されていて、左端のヒンジ６３の右傍にスリット６４があり、ない場合もある。【００５６】凹み部、６７は、平面視が長四角形又は長楕円形で、カム状ボルト５６は
バック側にあり、バック側の底面にカム用の溝５７が設置され、その左側に凹み部のネジ穴の凸部が設置されている。これにプレート用頭付ボルトが入る。前記凹み部の底面のバック側の側壁にカム状ボルト支持穴５８があり、それにカムの軸棒６１が支持されて、カムが前記カム用の溝５７に入るように設置され、カムの軸棒の取り付け方向がフェースの面とバック側に略直角に位置していて、カム状ボルトの頭６２がバック側の側壁の外についている。
前記凹み部６７のフェース側の短い辺の上辺と前記プレート６６のフェース側の短い辺の上辺とヒンジ６３の加工で１体化していて、プレート用頭付ボルト１本で前記プレートを前記凹み部へ固定できる。  また、前記カム状ボルトは、前記凹み部のバック側にあり、前記カムの軸棒の取り付け位置の方向がフェース面に対して略平行の場合があり、前記凹み部の底面に凹み部のネジ穴の凸部３１があり、そこにプレート用頭付ボルトが入り、前記凹み部６７と前記プレート６６及びプレート用頭付ボルトが組み合うクラブである。前記カムの軸棒の位置が直角又は平行の場合がある。【００５７】  図３４について、
前記凹み部５４が付いているもので、底面に凹み部のネジ穴の凸部３１が２つあり、図から見て右端にカム状ボルト回し工具７３がバック側にあるカム状ボルトの頭に差し込んでいるものである。ヘッドのソールから見た俯瞰の図である。カムの軸棒の取り付け方向はフェース面に対して略直角である。
図３５はヘッドのバック側の図である。【００５８】  図３６について、
図３６のプレート７８と図３６の凹み部７９が組み合った断面図である。前記図３６のプレート７８は、平面視が長四辺形または長楕円形で、厚さがバック側がで薄くフェース側に向かって徐々に厚くなっていて、フェース側の短い辺がクサビ形のテーパー７７になっていて、前記プレートのほぼ中央に段付穴が設置していて、そこにプレート用頭付ボルトが挿入される。バック側に貫通したネジ穴が加工されていて、ここに頭なしボルト７６が入る場合と、バック側に前記プレートの裏側から貫通しないネジ穴があり頭付ボルトが入る場合がある。
このボルトを出し入れによって前記プレートの高さが調整、変化が出来る。【００５９】前記図３６の凹み部７９は、平面視が前記プレートに対応するので略同形状で、深さが前記プレートに対応するので略同形状であり、フェース側の短い辺がクサビ形のテーパー７７になっていて、前記凹み部の底面の略中央に凹み部のネジ穴の凸部か設置され、ネジが貫通して加工されている。フェース側にクサビ状のテーパーが設置されているので１本のボルト１３で固定できる。プレート用頭付ボルトと頭なしボルトで前記凹み部へ前記プレートを固定する。【００６０】  前記プレート７８で、フェース側のテーパー７７があり、平面視が長四辺形又は長楕円形で、厚さがフェース側で薄くバック側に向かって徐々に厚くなっていて、バック側に頭なしボルトがなくて、中央部分の段付穴があり、更に前記凹み部のバック側にカム状ボルトが前記凹み部の底面に設置されていている凹み部で、カムの軸棒の位置の方向は、フェース面に対して略直角の場合と、略平行に位置する場合がある。
プレート用頭付ボルトで前記プレートを前記カム状ボルト付き前記凹み部へ固定するクラブもある。【００６１】    図３７について、
カム状ボルトが設置された凹み部８０の図であるが、カム状ボルトがソール部分の取り付け位置が図３４の場合と違い、フェースの線に対して略平行な状態でカムの軸棒がソールの底面に取り付けられている。機能は、図３０と同じである。
図３８は、図３８の前記プレート８１と前記凹み部８０が組み合った断面図であり、プレート８１、５２，５２−２，５２−３は、前記凹み部８０に対して共有できる。【００６２】    図３９について、
前記プレートで平面視が長四辺形又は長楕円形の場合で、其のプレートの平面視の上辺面にフェース側及びバック側に向かって凹凸状の溝又はウネ（畝）８２を加工してあるものである、但しありとなしの場合がある、この凹凸又はウネは、ソール面にあるので打球に際して抵抗をへらせるし、方向性をよくする場合もある。この場合プレート４３、５２−１、５２−２、５２、５２−３、６６、７８、８１、８５、９０、９６、１２，１７−３に採用できる。【００６３】  図４０について、
図４０の凹み部８４は、フェース側の前記凹み部の側壁の両側に横棒が付けられて、底面から立ち上がる壁を周辺に持ち、平面視が長四辺形又は長楕円形であり、深さがフェース側で浅くバック側に向かって徐々に深くなり、底面の略中央部分に凹み部のネジ穴の凸部が設置されている。この凸部の内側にネジが加工されていて、プレート用頭付ボルトが入るのである。【００６４】  図４１について、
前記プレート８５は、平面視が前記凹み部、８４に対応するので略同形状でフェース側の側面にプレートの横棒受け８６がユ字型で加工されていて、バック側に貫通したネジ穴が開けられ、又は、裏側から貫通しないネジ穴があり、頭なしボルト又は、頭付ボルトが入り、中央部分に段付穴があるプレートと、前記凹み部８４は、平面視が長四辺形又は長楕円形で、中央部分に段付ネジ穴があり、フェース側の側面の両側に横棒８３が設けられている凹み部が、ヘッドのソール部分に組み込まれていて、プレート用頭付ボルトで前記プレートを前凹み部へ固定する。更に前記凹み部８４のバック側の底面にカム状ボルトを設置して、カムの軸棒の位置の方向は、フェース面に対して略直角の場合と、略平行に位置する場合があり、前記プレート８５を使ったクラブもある。この場合はバック側にある頭なしボルトはいらない。【００６５】  図４２は前記プレート８５の図であり、裏面の形状は薄い板状の凹み状の蓋箱形である。
フェース側の短い辺に設置してあるプレートの横棒受けが前記凹み部にある横棒に組み入れられる、そして、バック側にある頭なしボルトの出し入れによってプレートの高さが調整、変化されて、プレート用頭付ボルトで前記プレートを前記凹み部へ固定するのである。ソール角が変化する。カム状ボルトが付いた凹み部でも前記プレート８５は使える。
尚、段落００５２から００６５に付いて整理してこれらを纏めると、
カムの軸棒の取る付け位置の方向は、
●凹み部でカムの軸棒の位置が直角又は平行で、凹み部の凸部３１、が１個の場合は
凹み部６７、７９、８４、である。
これに使う前記プレートは、プレート６６、７８、８５、である。
但し凹み部８４の場合は、横棒付きでカム状ボルト付きも出来る。
●凹み部でカムの軸棒の位置が直角又は平行で凹み部の凸部３１、が２個の場合は
凹み部７０、５４、８０、である。７０と５４は同じ。
これに使う前記プレートは、プレート５２、５２−３、８１、５２−２、である。
但し５２−２の場合は、頭なしボルトはいらない。【００６６】  図４３について、
前記プレート９６は、平面視が長四辺形又は長楕円形で、両端に段付穴が開けられて、プレート用頭付ボルトが入り、厚さが略均一な平行形で、中央部分の裏側の底面に図４３のプレート凸部が設置されているプレートと、
前記凹み部８７は、平面視が長四辺形又は長楕円形で、両端に段付ネジ穴が開けられて、プレート用頭付ボルトが入り、厚さが略均一な平行形な凹み部が組み合った図である。【００６７】    図４３の凹み部８７は、前記プレート９６に対応する形状の平面視が長四辺形又は長楕円形で両端に凹み部のネジ穴凸部が設置されていて、プレート用頭付ボルトが入る。【００６８】  そして、プレート用頭付ボルトを締めれば前記凹み部に前記プレートが固定される。
フェース側のプレート用頭付ボルトを最初に締め付けるとバック側の前記プレートの高さが高くなる、この手順が通常である。バック側のボルトを先に締め付けるとフェース側のプレートが高くなり逆の効果となり留意することである。
前記プレートはこのボルトで締め付けるとプレートの動きがシーソーのような動きになる。前記プレートの材質を合成樹脂にして弾力性を持たせることも出来るのである。
従って中央部分が緩やかな凸状の曲面を形成するのでソール角が２分される場合がある、それは角度が凸状の曲面の上で２分されるので、クラブの使用者の選択肢になっていて角度の選択が出来る機能を持つことが出来る。ヘッドのフェースを右に傾けるとフェースがオープンになり、ヘッドのフェースを左に傾けるとフェースがフックフェ−スになる、これは、ソールの形状が２つに別れたから可能になったものである。ソール面の中央部分が凸状になると、この現象が生じる場合がある。【００６９】  図４４は、プレート１００で、図４３と相似形で凹み部の底面の形状が異なって、図４４の凹み部の凸部８９が付いた凹み部と、
前記プレートの裏側の凸部が無くなった図４４のプレート９０である。
調整、変化のための手順は図４３の場合同じであり、形が底面で異なるだけであり、機能も効果も同じである。
【発明の効果】
【００７０】  前記プレートと前記凹み部を組み合わせて、プレート高さを調整すると角度が変化する。すると、打撃による球の方向に影響する。
前記プレートと前記凹み部をソール部分に取り付ける位置によって角度の方向が変化するものがある。【００７１】  図１の於けるものは、前記プレート２８がネジによって上下に動いてプレートの高さが変わりソール角が調整、変化する、そしてフェース角が変わるのである。
ヘッド本体のソールとフェースは、１体化しているのでソール角が変わればフェース角も変わるのである。ソール角６が図１１、１２から見て右下、符号２の方に動いた場合、フェース角が右に傾きフェースの線はオープンフェースになる。但し、図１の場合は、通常使わない、それはヘッドの本体のソール角をあらかじめオープンフェースに設定してあり、前記プレートの高さを高くしながら調整するようにしてあるからである。要するに、フックフェースの方に傾くことになる。本件の効果はソール角の調整、変化である。
逆の場合もある、前記プレート２８−１、プレート１８、プレート３７の上辺面の傾きをフェース側に設置した場合、ソール角の調整が、ストレートフェースからオープンフェースの方へ変化する、変化が通常の反対の方向に変化する。また、
前記プレート３８の凹み部１９の¬型凸部１９−２、を  フェース側に置いた場合、
前記プレート３８−１の三角凹み部の凹み及び丸型又は多角形凹み部の凹み９３、を
フェース側に置いた場合、
前記プレート３８−２の三角凹み部の凹み及び丸型又は多角形凹み部の凹み９３、を
フェース側に置いた場合、
前記プレート９１−２の凹み部、１９の¬型凸部１９−２，を
フェース側に置いた場合、
前記プレート９１の三角凹み部の凹み及び丸型又は多角形凹み部の凹み９３、を
フェース側に置いた場合、
ソール角の調整が、ストレートフェースからオープンフェースの方へ変化するし、変化が通常の反対の方向に変化する。通常の場合は凹み部の凹みをバック側に設置してソール角がフックフェースの方に変化する。更に凹みをフェース側に設置することも出来る、前記プレート１２、１７−３、これらのプレートの厚さ又は凹み部の凹みをフェース側に設置すると、フェース角がストレートフェースからオープンフェースの方に向かって変化して、通常の場合と逆な方に変わるのである。【００７２】  図２の場合、
前記プレート２８−１が前記凹み部に組み込まれているのでソール角が変わるが、前記凹み部の底面が平らで凸部がないので、前記プレート２８−１が前記凹み部に組み入れられる位置が前記凹み部の中で回転できるので、前記プレートに付いている頭なしボルトの位置が回転できる、従って前記プレートの高さの位置が回転することになる。すると、頭なしボルトの位置がバック側にある場合とフェース側の場合とが生じバック側にある時ではソール角が立ってきてフェース角がフックになり、フェース側にある時にはフェース角がオープンフェースになる。【００７３】  図３について凹み部２０，５１の図であり丸型又多角形のプレートに対応し使用できる。
前記プレート２８−１、２８、１８が使える。【００７４】  図４のプレート１８は、厚さ違うイ、ロ  であり、上辺面が傾いた形なので、前記凹み部へ取り付けた時、厚さ  イ  の方が常にソール部分に接触していて、前記プレートが回転できるので、接触している位置が変わり、イがバック側にある時ではソール角が立ってきてフェース角がフックになり、イがフェース側にある時にはフェース角がオープンフェースになる。
プレート１８は、左右に回転すると前記プレート１８のイの部分がフェース側であったりバック側にあったりするが、通常はイがバック側の位置である。【００７５】  図５は、プレート３７は、凸部付プレート３７の図である。プレート３７の凸部４８は前記プレートの段付穴の外側の下に向かった裏側の凸部であるので、凸部、４８の位置が前記凹み部へ装填されたときは、フェース側又はバック側にある場合がある。
従ってソール角が変化するものであるが、前記凸部、４８の位置がフェース側にあるときにはソール角が地面の線に近くなりフェース面が右側に傾きオープンフェースになる。通常は前記凸部、４８はバック側に位置するのでフックフェースの方に調整される。【００７６】    図６について、
段付プレート３８とこれに対応する傾斜面凸部付又は平面凸部付凹み部１９は、丸型又は多角形で、プレート用頭付ボルト１３が組み合ったものであるが、前記凹み部、１９の¬型凸部１９−２の  位置がバック側にあるので、この場合はソール角が通常の場合の変化と成る。【００７７】  図７について、
三角のプレートを使用するが、三角凹み部の凹み及び丸型又は多角形凹み部の凹み９３の取り付け位置がバック側にあるのでソール角の変化は通常のものである。三角凹み部の凹み及び丸型又は多角形凹み部の凹み９３の取りつけ位置がバック側であることが通常である。しかし、前記凹み、９３がフェース側にある場合もある。【００７８】図８について、
三角プレート３８−２と、凹み部９２−１の組み合わせであるが、前記凹み部のフェース側の底面に凹み、９３が２つ付いている。三角形の２つの角はフェース側にあり、残る１つの角はバック側に位置されていて、凹み９３がない平たい底面であり、凹み部９２−１のバック側の底面の平面である。この底面に前記プレートの凸部、９４，９４−１，９４−２の何れかが接触するのである。この接触したプレートの高さが調整、変化の値である。ソール角が変化する。【００７９】  図９について、
プレート９１−２と、凹み部１９−１の組み合わせであるが、凹み部、１９の¬型凸部１９−２がバック側にあるので、ソール角がフックフェースの方に変化する。【００８０】  図１０について、
三角プレート９１と、凹み部９２−１の組み合わせであるが、図８の場合と同じようにプレート９２−１を使うのでソール角が変化する。【００８１】  図１１，１２に於いては、プレートの動く方向が、バック側乃至はフェース側に向かっている、それはプレートがフェース面に対して直角に移動するのでソール角が変化する。但しプレートの取り付け位置は、プレートの長い方の辺がフェース面に対して略直角に設置された場合である。
図１１は、ソール角６が地面の線２に近くなりフェース面が右に傾きフェースがオープンフェースになる。
図１２は、ソール角が地面の線２から離れることになりフェース面が立ってくる、フェースがフックフェースの方に変化する。【００８２】図１３，１４は、前記プレートが移動した図であり前記プレートの長い辺がフェース面に対して略直角に設置されている。【００８３】図１５，１６はプレート１２の図であり、先に説明した。【００８４】図１７も先に説明した。【００８５】図１８，１９はプレート１７−３が前記凹み部２３に設置された図であり、形態については先に説明した。  ソール角が変化する。【００８６】図２０、２１は、前記プレートと前記凹み部がフェース側で縦位置に配置されたもので、ライ角が変化する。先に説明した。
図２１は、前記プレートがバック側で縦位置に設置されている。
ソール角が変化する。  プレートと凹み部の設置位置のよって角度の変化が違ってくる。
図２２，２３はライ角の変化であり、前記プレートがフェース側にあり、フェース面に対して略平行な移動した場合は、ライ角が変化する。
図２４は先に説明した。【００８７】    図２５について、
前記プレート１７−３又は１２で、ソール面に斜めに取り付けた場合である。
右肩上がり、左肩上がりの場合があるが、ソール角とライ角の複合されたものとして変化する、先に述べたが、バック側のソールの高さが高く変化したらソール角が変わり、フェース側のソールの高さが高く変化したらライ角が変化するので、斜めの場合では、中間の変化として複合された角度として変化するのである。【００８８】  ライ角とは、シャフトの軸線、ホーゼルの軸線は同じであり符号２６であり、地面の線２の間の角度を呼称する。ライ角は、フェースの面に対して平行な角度なので、ライ角の変化では、ソール角が変化しない。【００８９】  ソール角とは、ソールの面と地面の線の間の角度を呼称する。フェースの面に対して直角で、ソールの底面とフェース面の中心からソ−ル向かっての地面の線に対しての角度である。
ソール角が変わると連動してフェース角も変わる。【００９０】  角度にはロフト角もあるが、本発明では変化しない。ロフト角はシャフトの軸線とフェース面（中心）の間の角度を呼称する。ロフト角は、本来変化しないが、先行文献である特許４１５６８１２号は、ヘッドのホーゼルにシャフトを挿入する角度を変化するものであるが、ソール角が変化し、修正する必要が生じている、そこで本発明がソール角の調整、変化を可能にすることを提供するものである。その変化は、無段階又は多段階を可能にする。
ここで留意することはリアルロフト角がロフト角であり、地面の線と
フェース面の角度ではないことに留意すべきである。
本発明の効果の纏めとして以下に記述する。バック側にプレートの高さを調整する機構がある場合を１とする。フェース側にプレートの高さを調整する機構がある場合を２とする。  １，２を両方できるものを３とする。
ライ角の変化の場合を４とする。複合角の場合を５とすれば、以下の通りである。
プレート２８と前記凹み部２０又は５１の組み合わせはソール角が変化する。
１である。
プレート４３、プレート５２−１、プレート５３−２、プレート５２、
プレート５２−３、プレート６６、プレート７８、プレート８１、
プレート８５、                                              １である。
プレート２８−１、プレート１８、プレート３７、と前記凹み部２０
又は５１の組み合わせは、１と２の両方できるのである。        ３である。
プレート３８と前記凹み部１９の組みあわせ、                  ３である。
プレート３８−１と前記凹み部９２の組み合わせ、              ３である。
プレート３８−２と前記凹み部９２−１の組み合わせ、          ３である。
プレート９１−２と前記凹み部１９−１の組み合わせ、          ３である。
プレート９１と前記凹み部９２−１の組み合わせ、              ３である。
プレート９６と前記凹み部８７の組み合わせ、                  ３である。
プレート９０と前記凹み部１００の組みあわせ、                ３である。
プレート１２、プレート１７−３、                            ３である。
ソールのライ角の変化の場合は、
プレート１２、又はプレート１７−３がフェース側で縦位置に
ついているものである。                                      ４である。
複合角は、プレート１２、及びプレート１７−３がフェース側
でソール部分に平面的な斜めについていて右肩上がりと左肩上がり
の場合である。                                                ５である。
複合角とは、ここではソール角とライ角が合わさって変化する角度を呼称する。以上はヘッドのソール面で、プレートの取り付けられる位置により縦、横、斜めに各種の角度が変化する新たな機構である。
【発明を実施するための最良の形態】
【００９１】先に述べて項で形状と機能に付いて述べているので、形態についてはこれを充当するものとする。
本件はクラブの調整、変化の方法及び其の固定の手順の説明が必要なので述べる。【００９２】  図１は、前記プレート２８と前記凹み部２０の組み合わせである。前記プレート２８にネジが付いているので、これを回して前記プレートの高さを調整、変化させるとソール角が変わる。前記プレートを前記凹み部へ固定させるのはプレート用頭付ボルトを回して固定する。ソール角が変わる。【００９３】  図２は、前記プレート２８−１と前記凹み部２０に組み合わせである。この前記プレート２８−１は、頭付ボルト又は頭なしボルトが横側に付いているので出し入れによって前記プレートの高さが傾き変わるのである、但しこのプレートは前記凹み部２０の内側で回せるので、前記のボルトの位置が回ることになり前記プレートの高さがバック側にある場合と、フェース側にある場合とがある、するとソール角が変わるが前凹み部２０は、凹み部のネジ穴凸部のネジが加工されているので前記プレート２８−１、２８、１８、３７が使える。但しこれらのプレートの形が違うのでヘッドのソール部分の地面に対する角度が違うことに留意することである。【００９３】  図３は前記凹み部２０であり前の項でのべた通りである。【００９４】  図４は前記プレート１８である。片方が高く傾いた上辺を持ち高さの違う
イ、ロ、  が有り中央に段付穴が開けられてプレート用頭付ボルトが入る。
プレート１８は、厚さが違うイ、ロ  であり、上辺面が傾いた形なので、前記凹み部へ取り付けた時、厚さ  イ  の方が常にソール部分に接触していて、前記プレートが回転できるので、接触している位置が変わり、イがバック側にある時ではソール角が立ってきてフェース角がフックになり、イがフェース側にある時にはフェース角がオープンフェースになる。【００９５】  図５は、前記凸部付プレート３７である。前記プレートの外側にプレート、３７の凸部４８があり、前記凹み部５１が組み合ったもので、すると、プレート３７の凸部４８の位置が、凹み部の中で回ることが出来るのでバック側にある場合とフェース側の場合が生じバック側にある時ではソール角が立ってきてフェース角がフックになり、フェース側にある時にはフェース角がオープンフェースになる。【００９６】  図６は丸型又は多角形の前記プレート３８と前記凹み部１９の組み合わせである。
凹み部の外側のバック側に凹み部、１９の¬型凸１９−２が付けられているので、ソール角がフックフェースの方に変化する。【００９７】図７について、
プレート３８−１で丸型又は多角形での平面視の形状で、前記凹み部は、丸型又は多角形の９２で、フェース側８の方で凹み部の底面に、三角凹み部の凹み及び丸型又は多角形凹み部の凹み９３が付けられているのでソール角がフックフェースの方に変化する。【００９８】  図８について、
三角プレート３８−２と凹み部９２−１の組み合わせで、前記凹み部のフェース側の底面に凹み、９３が２つ付いていて、三角形の２つの角はフェース側にあり、残る１つの角はバック側に位置されていて、凹み９３がない平たい底面であり、凹み部９２−１のバック側の平たい底辺である。この底面に前記プレートの凸部、９４，９４−１，９４−２の何れかが接触するのである。この接触したプレートの高さが調整、変化の値である。
プレートの固定する手順は図７とほぼ同じである。
ソール角が変化する。【００９９】    図９について
プレート９１−２と凹み部、１９と組み合うが、前記凹み部の¬型凸部１９−２がバック側の底面にあり、ソール角がフックフェースの方に変化する。【０１００】    図１１，１２は、ソール角が変化する図である。前記プレートが図から見て左右に移動するとソール角６が変化する。前記プレートの位置が左側に移動するとソール角が立ち上がる、それが図１２の場合である。そうするとソール角が立ち上がってフェース角がフックフェースになる。その逆の場合オープンフェースになる。
ソール角とフェース角は連動するのである。
この場合、ソール角の変化である。【０１０１】  図１３，１４は前記プレート１２と前記爪付の凹み部２０−２の組あったものである。前記プレート１２が図から見て左右に移動した図であり、図１１，１２のソール角に影響を持つのである。図１２の前記プレートを図１４のように左に移動するとソール角が地面の線２の方に近くなりオープンフェースになる。ソール角が変化する。【０１０２】図１５は前記プレート１２の図である。平面視が長四辺形又は長楕円形で、爪付プレートでプレートの溝１７が両端に付いていて、爪付プレートの厚さ  大  小がありプレートの高さが違うようになる。これによってソール角が変化する。図１４のプレート１２は、図１５に示す前記爪付の凹み部２０−２に装着されるのである。【０１０３】図１６は前記プレート１２と前記凹み部２０−２の組み合ったものである。
これは先に説明した。ソール角が変化する。
図１７は前記凹み部２０−２がソール部分に設置した位置の図である。【０１０４】  図１８は、△型クサビ形のプレートとこれに対応する△形クサビ形の爪を持つ凹み部の組み合わせである。前記凹み部の爪の長さ２２は、前記凹み部の長い辺の約半分である。【０１０５】  図１９は、前記プレート１７−３と前記凹み部２３の断面図で形態については先に説明した。【０１０６】  図２０は、前記プレート１７−３又は前記プレート１２と前記凹み部がフェース側で縦位置に付いた図である。この場合ヘッドのバック側が地面に接触したままで、図から見てフェース側にある前記プレートが上下に移動する。そうするとライ角が変化する。
この様に前記凹み部及び前記プレートの取り付け方向及び位置の違いで角度の違いが起こるのである。【０１０７】  図２１は、前記プレートがバック側で縦位置にあるので、フェース側のソール面が地面に接したままで前記プレートがバック側のあるためにソール角がフックフェースの方に変化する。【０１０８】  図２２、２３について、
ライ角の変化する図である。図から見て前記プレートを左右に移動させるとライ角が変化する。
前記プレートを右に移動させるとホーゼルの軸線２６が地面の線に近くなりライ角がフラットになる。それは前記プレートがソール部分に入るのでライ角２４が変化する。
前記プレートがフェース面に対して略平行に移動するのでライ角の変化となるからである。【０１０９】  図２４は、フェース角の変化の図である。ソール角が変化するとフェース角も変化する、ソール角６が変化するとヘッドが傾きフェース面が変化するのは、ヘッド本体のソールとフェースは１体化しているので連動するからである。
図２３の  図３オープンフェースはソール角が地面の線に近くなる、するとフェース面が右に倒れて、オープンフェースになる。
図２４の、図２  フックフェースはソール角が地面の線から離れると、フェース面が直角の方に近くなりフェースの面がフックフェースになる。
図２４の図１  ストレートは、其の中間位置である。【０１１０】  図２５は、前記プレートが平面的に傾斜した位置に設置した場合の図である。
この場合、ライ角とソール角の複合角として変化する。前記プレートが図から見て斜め上方に動くと場合であり、左肩上がりと右肩上がりの場合がある、前記プレートの取る付け位置の違いである。図２４の場合の変化は、左上方に前記プレートが移動した場合で、ホーゼルの軸線２６がアップライトになり、フェース面はフックフェースになる、ここで留意することは、ヘッド自体はフラットになる。
又前記プレートが図から見て右下に移動した場合、ホーゼルの軸線２６はフラットライになり、フェース面はオープンフェースになる。【０１１１】  図２６が前記プレート４３と前記図２６の凹み部が組み合ったものであり、
前記プレートを前記凹み部へ固定するのに２重ボルトを使用する。
前記プレートのフェース側の短い辺の上辺と前記凹み部のフェース側の短い辺の上辺がヒンジの加工で１体化している。  但し、前記凹み部の横の長さ６５が短い場合は、ヒンジの加工をしないで、２重ボルトで前記プレートを前記凹み部に固定できる。
図２７の２重ボルトの構造及び機能は先に説明したので省略する。【０１１２】図２８は、前記プレート５２−１と前記凹み部５４−１の組み合わせである。
図２９は、前記プレート５２−２と前記凹み部５４−１の組み合わせである。
違いは底辺板がないのが５２−２であり、機能は同じである。
ソール角が変化する。【０１１３】  図３０は前記凹み部の底面のバック側の短い辺に前記カム状ボルトが設置されていて、前記プレートのバック側の裏側面とカムが接触した状態で組み上がり、右側のボルトでカムを固定される。左側のボルトは、フェース側の前記プレートを固定するのに使う。
前記カム状ボルトの回転で前記プレートのバック側の裏面を押し上げる、又下げるのに役立つのである。
ソール角が変化する。【０１１４】  図３１は前記プレート５２と前記凹み部５４が組み上がったものである。
前記プレートの位置が低くなった状態の図である。【０１１５】    図３２は前記プレート５２−３を使っている。プレートが違うだけで機能、調整の手順は前の場合と同じである。図３１、３２はソール角の変化である。【０１１６】    図３３は前記プレート６６と前記凹み部６７の組み合ったものである。前記プレートのフェース側の短い辺の上辺と前記凹み部のフェース側の短い辺の上辺がヒンジで加工され１体化したもので、カム状ボルトがバック側の凹み部の底面に設置され、カムのすぐ左側のプレート用頭付ボルトがあり、カムを前記プレートのバック側の裏面から押さえて固定される。前記プレートの高さの調整はカム状ボルトをカム状ボルトの頭を回転させるのである。但し、前記プレート６７の凹み部の横の長さ６５が短い場合は、ヒンジの加工がなくて、プレート用頭付ボルトで前記プレートを前記凹み部へ固定できる。  ソール角が変化する。【０１１７】  図３４，３５は、
前記カム状ボルトの軸棒の取り付け位置がフェース面に対して略直角な状態である。
この点が違うだけであり機能、調整の手順は同じである。【０１１８】  図３６は、前記プレート７８と前記凹み部７９の組み合わせである。  前記プレートのフェース側の短い辺にテーパーが形つけられて、右側に貫通したネジ穴があり、頭なしボルトが入り、前記凹み部のフェース側の短い辺にもテーパーが形付けられて、其の上辺にヒンジが加工された場合もある、この場合はプレートと凹み部のフェース側の上辺で１体化している。しかしこのヒンジ６３が無くてもフェース側にクサビ状のテーパーが設置されているので、無い場合がある、それは図３３の前記凹み部の底面の長さである、凹み部の長さ６５が短い場合のプレートと凹み部ならヒンジ加工が無い場合で、１本のプレート用頭付ボルトで固定できるからである。
調整、固定の手順は、バック側の頭なしボルトでプレートの高さを調節し、プレート用頭付ボルトで前記プレートを前記凹み部へ固定する。ソール角が変化する。【０１１９】  図３７，３８は、前記カム状ボルトの軸棒の取り付け位置がフェース面に対して略平行な位置に設置されている点が違うだけで機能、固定の手順は図３４の場合と同じである。  ソール角が変化する。【０１２０】  図３９は、前記プレートの上辺面に凹凸の溝またはウネ（畝）８２を加工して、ソール面の打撃の時の抵抗又は方向性の向上に役立てる場合があり、但しありとなしがある。【０１２１】  図４０は、前記凹み部８４と前記プレート８５の組み合わせである。
前記凹み部のフェース側の側壁に横棒が設置されていて、平面視が長四辺形又は長楕円形で、深さがフェース側で薄くバック側に向けて徐々に厚くなり、底面から立ち上がる壁を周辺の持ち、底面の中央部分のネジ穴が加工されている。【０１２２】  図４１は前記プレート８５と前記凹み部８４の断面図である。平面視が図３８と同じであり、前記プレートのフェース側の側壁にユ字型の横棒受けが加工され、バック側の頭なしボルトが付いていて、中央部分のプレート用頭付ボルトが付いている。前記凹み部の底面の中央部分のネジ穴が加工されている。
図４２は前記プレート８５の図である。ソール角が変化する。【０１２３】図４３は、前記プレート９６と前記凹み部８７の組み合わせである。
前記プレート９６は、平面視が長四辺形又は長楕円形で、厚さが均一的な形状で、両端に段付穴が加工されていて、前記プレートの裏側の底面の中央部分に凸部８８が設置されている、プレートの上辺は僅かに凸状に湾曲していて、
前記凹み部８７は前記プレートに対応する平面視と深さを有し、底面の両端にプレート用頭付ボルトが入る凹み部のネジ穴凸部が設置されている。通常はフェース側のネジを締めてからバック側のネジを締め付けると前記プレートの凸部、８８に前記凹み部の底面が接触し、シーソーのような動きでバック側のプレートの高さが高くなる、するとソール角は変化するのである。バック側のプレートの底面は浮いた状態となる。
バック側のネジが締め付けられていればプレートは固定される。
ソール角が変化する。【０１２４】  図４４は図４３と同型的であるが、前記凹み部の中央部分の凸部８９が設置されていて、前記プレートの裏側の中央部分は平らであり、ネジの位置も同じであり、前記プレートの高さの変化も同じである。通常は先にフェース側のネジを前記プレートへ締め付けるが、これを後から締めて、先にバック側のネジを前記プレートに締め付けるとフェース側のプレートの高さが変わる、通常では使用しない。これは、図４３も同じ様にバック側のネジを締めるとフェース側のプレートの高さが変わる。
【図面の簡単な説明】
【０１２５】
【図１】  丸型又は多角形のプレート２８と凹み部２０、又は５１
【図２】  プレート２８−１と凹み部２０又は５１
【図３】  凹み部２０又は５１
【図４】  厚さ違いのプレート１８  イ、ロ、
【図５】  凸部付プレート３７と丸型又は多角形の凹み部５１
【図６】  段付プレート３８と傾斜面凸部付又は平面凸部付凹み部１９（丸型又は多角形）
【図７】  丸型又は多角形プレート３８−１と凹み部９２（丸型または多角形）
【図８】  三角形プレート３８−２と凹み部９２−１（三角形）
【図９】  三角形プレート９１−２と傾斜面凸部付又は平面凸部付凹み部１９−１（三角形）
【図１０】  三角形プレート９１と凹み部９２−１（三角形）
【図１１】  ヘッドのソール角６の変化の図
【図１２】  ヘッドのソール角６の変化の図  移動の図
【図１３】  爪付プレートと爪付凹み部の移動の図
【図１４】  爪付プレートと爪付凹み部の移動の図（左に移動）
【図１５】  爪付プレート１２
【図１６】  爪付凹み部２０−２と爪付プレート１２の断面図
【図１７】  爪付凹み部２０−２のソールへの配置図
【図１８】  △型クサビ型の凹み部２３の位置
【図１９】  プレート１７−３と△型クサビ型の凹み部２３の断面図
【図２０】  ソールのプレートの縦位置  フェース側
【図２１】  ソールのプレートの縦位置  バック側
【図２２】  ホーゼルの軸線２６の説明図
【図２３】  ホーゼルの軸線２６の移動
【図２４】  ヘッドのフェース角の変化図  図の１ストレート  図の２フックフェース  図の３オープンフェース
【図２５】  プレートと凹み部が傾斜した位置にある場合の図
【図２６】  プレート４３とヒンジ付凹み部の、図２６の凹み部  図２６
【図２７】  ２重ボルトと工具の図
【図２８】  プレート５２−１と凹み部５４−１の組み合わせ
【図２９】  プレート５２−２（底辺板なし）と凹み部５４−１の組み合わせ
【図３０】  プレート５２と凹み部７０に組み合わせ（カム状ボルト付）
【図３１】  プレート５２が低い位置になった図
【図３２】  プレート５２−３と凹み部５４の組み合わせ
【図３３】  プレート６６と凹み部６７の組み合わせ
【図３４】  ヘッドのソールの凹み部にカム状ボルトが設置した図
【図３５】  ヘッドのバック側にカム状ボルトの頭６２が見える図
【図３６】  プレート７８と凹み部７９の組み合わせ
【図３７】  カム状ボルトの取り付け位置  フェースの面の平行
【図３８】  カム状ボルトの取り付け位置  横位置の断面図
【図３９】  ソールのプレート上辺のウネ（畝）の図
【図４０】  凹み部８４の図
【図４１】  プレート８５と凹み部８４の組み合わせ
【図４２】  プレート８５の図
【図４３】  プレート９６と凹み部８７の組み合わせ
【図４４】  プレート９０と図４３の凹み部１００の組み合わせ
【符号の説明】
【０１２６】１−２                                図１２
プレートの移動
２    地面の線                        図１１
３    ヘッド本体                      図１１
４    ホーゼル                        図１１
５    フェース                        図１１
６    ソール角                        図１１
７    バック側                        図１１
８    フェース側                      図１１
９    フェースの線                    図１１
１１−１                              図１５
プレートの爪
１２  爪付のプレート                  図１５
１３  プレート用頭付ボルト            図１，１６
１４  段付ネジ穴                      図１５
１５  プレートの厚さ  大              図１５
１６  プレートの厚さ  小              図１５
１７  プレートの溝                    図１６
１７−１                              図１６、１７
凹み部の爪
１７−２  △型クサビ形の爪            図１９
１７−３  △型クサビ形のプレート      図１９
１８  厚さ違いのプレート
イ、ロ、                        図４
１９  傾斜面凸部付又は平面凸部付凹み部１９（丸型又は多角形）図６
１９−１
三角形凹み部                    図９
１９−２
凹み部、１９の¬型凸部          図６
２０  凹み部                          図１
２０−１                              図１９
凹み部の底辺
２０−２爪付の凹み部                  図１６
２１  ソール                          図１６
２２  △型クサビ形の爪の長さ          図１８
２３  △型クサビ形の凹み部            図１９
２４  ライ角      （２６の線の間）    図２２，２３
２６  ホーゼルの軸線                  図２２
２７  プレートの移動の長さ            図２３
２８  プレート２８    丸型又は多角形のプレート        図１
２８−１
頭なしボルト付プレート          図２  プレート２８−１
２９  外周のネジ                      図１
３０  ネジの頭の溝                    図１
３１  凹み部のネジ穴の凸部            図２
３２  段付穴                          図１、図２  その他
３４  頭なしボルト                    図２  その他
３５  多角形                          図３
３６  丸型又は多角形のプレ−トの穴    図２
３７  凸部付プレート                  図５
３８  段付プレート                    図６
ア、イ、ウ、エ．オ、カ
３８−１  丸型又は多角形のプレート    図７
３８−２  三角プレート３８−２        図８
４０  ２重ボルト                      図２７
４１  図２６の頭なしボルト            図２６、２７
４３  図２６の長四角形又は長楕円形のプレート  図２６
４４  レンチ                          図２７
４５  レンチの外輪                    図２７
４６  レンチの凸部                    図２７
４６−１ボルトの頭の溝                図２７
４７  頭なしボルトの溝                図２７
４７−１工具の凸部                    図２７
４８  プレート３７の凸部              図５
４９  段付き４９                      図６，
５０  プレート３８の中心部分の厚さ    図６
５１  図５の丸型又は多角形の凹み部    図５図３
５２  長四辺形又は長楕円形のプレート  図３０
５２−１底辺板付プレート              図２８
５２−２底辺板なしプレート            図２９
５２−３図３１のプレート              図３２
５３  底辺板                          図３２
５４  長四辺形又は長楕円形のカム用溝付凹み部  図３１
５４−１図２８、２９の凹み部          図２８，２９
５５  隙間                            図２８
５６  カム状ボルト                    図３２
５７  カム用の溝                      図３２
５８  カム状ボルト支持穴              図３２
５９  カム                            図３１
６０  丸型又は多角形のカム            図３１
６１  カム状軸棒                      図３３
６２  カム状ボルトの頭                図３２
６３  ヒンジ                          図３３
６４  スリット                        図２８
６５  凹み部の横の長さ                図３３
６６  図３３のプレート                図３３
６７  図３３の凹み部（カム用の溝付）  図３３
６８  図２８の頭なしボルト            図２８
６９  貫通のネジ穴                    図２８
７０  カム用の溝付凹み部              図３０
７１  凹み部の側面                    図３４
７２  凹み部底面のネジ穴              図３３
７３  カム状ボルト回し工具            図３４
７４  カム状ボルト支持輪              図３４
７５  凹み部の側壁の穴                図３７
７６  頭付なしボルト                  図３６
７７  テーパー                        図３６
７８  図３６のプレ−ト                図３６
７９  図３６の凹み部                  図３６
８０  カム状ボルト横位置付凹み部      図３７
８１  図３８のプレート                図３８
８２  凹凸状の溝又はウネ  （畝）      図３９
８３  横棒                            図４０
８４  図４０の凹み部                  図４０
８５  図４１のプレート                図４１
８６  プレートの横棒受け              図４２
８７  図４３の凹み部                  図４３
８８  図４３のプレート凸部            図４３
８９  図４４の凹み部の凸部            図４４
９０  図４４のプレート                図４４
９１  三角プレート９１                図１０
９１−２三角プレート９１−２          図９
イ、  エ、  ア、  厚さ
９２      丸型又は多角形の凹み部      図７
９２−１三角凹み部９２−１            図８
９３    凹み部の凹み及び丸型又は多角形凹み部の凹み
図７図８
９４    三角プレートの厚さ            図８図７
或いは、丸型又は多角形の厚さ
９４−１丸型又は多角形又は三角プレートの厚さ  図７図８
９４−２丸型又は多角形又は三角プレートの厚さ  図７図８
９４−３丸型又は多角形のプレートの厚さ  図７
９４−４丸型又は多角形のプレートの厚さ  図７
９４−５丸型又は多角形のプレートの厚さ  図７
９４−６三角プレートの頭付ボルト又は頭なしボルト  図１０
９５  凹み部の内周のネジ              図１
９６  図４３のプレート                図４３
９８  △型クサビ形のプレート（１７−３）図１９
９９  図２６の凹み部                  図２６
１００  図４４の凹み部                図４４
１０１  図１０の頭付ボルト又は頭なしボルトのネジ穴  図１０
１０２  プレートの厚さ                図６
１０３  外周辺                        図６
【図１】
2011229914.tif 000003
【図２】
2011229914.tif 000004
【図３】
2011229914.tif 000005
【図４】
2011229914.tif 000006
【図５】
2011229914.tif 000007
【図６】
2011229914.tif 000008
【図７】
2011229914.tif 000009
【図８】
2011229914.tif 000010
【図９】
2011229914.tif 000011
【図１０】
2011229914.tif 000012
【図１１】
2011229914.tif 000013
【図１２】
2011229914.tif 000014
【図１３】
2011229914.tif 000015
【図１４】
2011229914.tif 000016
【図１５】
2011229914.tif 000017
【図１６】
2011229914.tif 000018
【図１７】
2011229914.tif 000019
【図１８】
2011229914.tif 000020
【図１９】
2011229914.tif 000021
【図２０】
2011229914.tif 000022
【図２１】
2011229914.tif 000023
【図２２】
2011229914.tif 000024
【図２３】
2011229914.tif 000025
【図２４】
2011229914.tif 000026
【図２５】
2011229914.tif 000027
【図２６】
2011229914.tif 000028
【図２７】
2011229914.tif 000029
【図２８】
2011229914.tif 000030
【図２９】
2011229914.tif 000031
【図３０】
2011229914.tif 000032
【図３１】
2011229914.tif 000033
【図３２】
2011229914.tif 000034
【図３３】
2011229914.tif 000035
【図３４】
2011229914.tif 000036
【図３５】
2011229914.tif 000037
【図３６】
2011229914.tif 000038
【図３７】
2011229914.tif 000039
【図３８】
2011229914.tif 000040
【図３９】
2011229914.tif 000041
【図４０】
2011229914.tif 000042
【図４１】
2011229914.tif 000043
【図４２】
2011229914.tif 000044
【図４３】
2011229914.tif 000045
【図４４】
2011229914.tif 000046